【手続補正書】
【提出日】平成16年11月5日(2004.11.5)
【手続補正１】
【補正対象書類名】明細書
【補正対象項目名】全文
【補正方法】変更
【補正の内容】
【書類名】      明細書
【発明の名称】  分離型スロットマシン
【特許請求の範囲】
【請求項１】  複数の図柄が表示された回転リール及びこの回転リールを回転させるための駆動モータを有するリールユニットと、
遊技メダルを払い出すためのホッパーユニットと、
前記回転リール及びホッパーユニットの作動を制御するための主制御回路基板と、
電源ユニットと、
少なくとも正面側に開口する略箱状のメダル制御キャビネットと、
前記メダル制御キャビネットの上側に設置されるとともに、少なくとも正面側に開口する略箱状の遊技制御キャビネットと、
前記メダル制御キャビネット及び遊技制御キャビネットの正面側の開口部を開閉自在に塞ぐ前扉と、
前記遊技制御キャビネットを、前記メダル制御キャビネットの上に着脱自在に固定するための固定手段とを少なくとも備えた分離型スロットマシンであって、
前記メダル制御キャビネットは、その内部に少なくとも前記ホッパーユニットを備え、
前記遊技制御キャビネットは、その内部に少なくとも前記リールユニット及び前記主制御回路基板を備え、
前記遊技制御キャビネットを、前記メダル制御キャビネットに前記固定手段を介して固定した際に、その固定状態の前記固定手段を封印し、前記遊技制御キャビネットを前記メダル制御キャビネットから取り外す際には、固定状態の前記固定手段の封印を解かれる封印手段を備えていることを特徴とする分離型スロットマシン。
【請求項２】  前記前扉は、前記メダル制御キャビネットの正面側の開口部を開閉自在に塞ぐ下扉と、前記遊技制御キャビネットの正面側の開口部を開閉自在に塞ぐ上扉とを備え、
前記上扉には、前記遊技制御キャビネットに係合するための上扉用係合部が設けられるとともに、前記遊技制御キャビネットには、前記上扉用係合部と回転自在に係合するための上扉用被係合部が設けてあり、
前記下扉には、前記メダル制御キャビネットに係合するための下扉用係合部が設けられるとともに、前記メダル制御キャビネットには、前記下扉用係合部と回転自在に係合するための下扉用被係合部が設けてあることを特徴とする請求項１記載の分離型スロットマシン。
【請求項３】  前記遊技制御キャビネット及び前記メダル制御キャビネットは、底面を塞ぐための底板と、左右の両側面を塞ぐための左右の側板と、裏面側を塞ぐための裏板と、上面を塞ぐための上板と、正面側に開口する正面開口部とをそれぞれ備えたことを特徴とする請求項１又は請求項２に記載の分離型スロットマシン。
【請求項４】  前記遊技制御キャビネットは、底面を塞ぐための底板と、左右の両側面を塞ぐための左右の側板と、裏面側を塞ぐための裏板と、上面を塞ぐための上板と、正面側に開口する正面開口部とを備え、
前記メダル制御キャビネットは、下側を塞ぐための底板と、左右の両側面を塞ぐための左右の側板と、裏面側を塞ぐための裏板と、正面側に開口する正面開口部と、上面側に開口する上面開口部とを備えたことを特徴とする請求項１又は請求項２に記載の分離型スロットマシン。
【請求項５】  前記上扉は、前記遊技制御キャビネットの前記正面開口部を施錠可能に形成するとともに、前記下扉は、前記メダル制御キャビネットの前記正面開口部を施錠可能に形成し、
前記上扉の解錠手段は、前記下扉の解錠手段とは別個に設けたことを特徴とする請求項２乃至４のいずれか１項に記載の分離型スロットマシン。
【請求項６】  前記上扉の下側端部に、下扉の上側端部の裏面にまで達する隠し部を設けたことを特徴とする請求項２乃至５のいずれか１項に記載の分離型スロットマシン。
【請求項７】  前記遊技制御キャビネットを、前記固定手段により、前記メダル制御キャビネットに固定した際に、前記遊技制御キャビネット及び前記メダル遊技制御キャビネットの間を封印し、前記遊技制御キャビネットを前記メダル制御キャビネットから取り外す際には封印を解かれる封印手段を備えたことを特徴とする請求項１乃至６のいずれか１項に記載の分離型スロットマシン。
【請求項８】  前記下扉は、着脱自在に形成した前パネルを取り付けたことを特徴とする請求項２乃至７のいずれか１項に記載の分離型スロットマシン。
【請求項９】  前記メダル制御キャビネットは、前記下扉を交換可能に形成したことを特徴とする請求項２乃至８のいずれか１項に記載の分離型スロットマシン。
【発明の詳細な説明】
【０００１】
【発明の属する技術分野】
この発明は、分離型スロットマシン、更に詳しくは、遊技の部分を担当するリールユニット及び主制御回路基板を有する遊技制御キャビネットを交換ユニットとして、他の部分から分離可能に形成した分離型スロットマシンに関するものである。
【０００２】
【従来の技術】
従来のスロットマシンは、正面側に開口する筺形の本体キャビネットと、本体キャビネットの開口部を開閉自在に塞ぐ前扉とから成り、本体キャビネットの内部に、リールユニット、ホッパーユニット、遊技を司る基板等が固定設置され、全体が構成されていた。
【０００３】
このような、従来のスロットマシンにおいては、遊技内容を変更する際には本体キャビネットまるごと交換しなければならなかった。
一方、この種のスロットマシンは、制御回路基板を備えており、そこには、当選抽選手段や、当選確率の異なる各種設定や、回転リールの停止制御等を司るＣＰＵや、制御プログラムや、各種の設定や、当選確率等を記憶したＲＯＭや、遊技状況等を記憶するＲＡＭ等が搭載されている。例えば、スロットマシンにおいて、かかる制御回路基板は、筐体の上部背面側に位置する基板ボックス内に収納されている。近年、かかる基板ボックス内に収納された制御回路基板から遊技内容等に関する制御プログラムが記憶されたＲＯＭ等を取り外して交換し、遊技機の遊技内容を変更するといった不正行為が問題になっている。このような不正行為の防止対策として、基板ボックス内部からＲＯＭ等を取り外すことができないように、スロットマシンの本体キャビネットと、基板ボックスとを封印するものが提案されている。かかる封印の代表例として、それらの間に封印シールを貼ったものや、それらを特殊ねじ等を用いて接合するものがある。このように、スロットマシンの本体キャビネットと、基板ボックスとを封印することで、基板ボックスが取り外されて、ＲＯＭ等の制御回路が取り外され、異なる制御回路が取り付けられるといった不正行為の抑制が図られている。
【０００４】
【発明が解決しようとする課題】
上記した従来のスロットマシンにおいては、遊技内容を変更するための台交換の際、遊技を担当しないホッパーユニット等も同時に交換されることとなり、交換に要する費用がかかるだけでなく、資源の無駄となっていたという第一の問題点があった。
【０００５】
一方、類似の遊技機としてパチンコ遊技機があるが、パチンコ機は、正面側に開口する筺形の本体キャビネットと、本体キャビネットの開口部を開閉自在に塞ぐ前扉とから成り、この前扉に盤面あるいは玉打ち出し装置等が固定され、筺体に玉の循環装置が設けられている。そして、台交換の際には、本体キャビネットを残したままで前扉のみを交換することも可能であったし、さらには、盤面のみを交換することもできるように形成されていた。
【０００６】
このような、パチンコ遊技機の交換の便に着目し、スロットマシンにおいても、遊技を担当する部分のみを交換可能とする発明はなされてきた。しかし、これまでの発明においては、現実に、交換される部分の固定をどのようにするか、真に交換が必要な部分がどこであるのかといった細かい検討がなされず、もっぱら概念的な発明の提示となっているにすぎなかった。
【０００７】
かくして、スロットマシンを、遊技性に関わる部分と、遊技性に直接関わらない部分とに分け、このうち遊技性に関わる部分、すなわちリールユニット及び主制御回路基板等を交換することにより、全体を交換することなく、新しいスロットマシンで遊技しているかのような印象を与えることがかできる分離型スロットマシンを提供することが求められている。
【０００８】
各請求項にそれぞれ記載された各発明は、上記した従来の技術の有する問題点に鑑みてなされたものであり、その目的とするところは、分離型スロットマシンのうち、交換するための遊技制御キャビネットと、交換せずに基礎に固定した状態となるメダル制御キャビネットとを、上下に明瞭に区分して具体的に特定し、交換しやすく、交換の手間がかからない分離型スロットマシンを提供しようとするものである。
【０００９】
また、上記した分離型スロットマシンでは、交換する部分と、交換しない部分とに上下に二分割したため、両者の間の隙間からドライバー等の工具等が挿入されて、主制御回路基板等にいたずらが行われるおそれが発生するといった第二の問題点があった。
また、上記した分離型スロットマシンでは、交換するための遊技制御キャビネットを、ホールの島に固定したメダル制御キャビネットから簡単に取り付け、取り外しすることができるように形成されているため、制御回路基板を有する遊技制御キャビネット毎、取り外されて、制御回路基板内のＲＯＭ交換や、或いは、その他の不正行為が行われるおそれが発生するといった第三の問題点があった。
【００１０】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一の問題点に鑑みてなされたものであり、その目的とするところは、交換部品数を少なくすることができ、交換に要する費用を、抑えることができ、限られた資源を有効に活用することができるようにした分離型スロットマシンを提供しようとするものである。
更に、請求項１記載の発明は、上記した従来の技術の有する第三の問題点に鑑みてなされたものであり、その目的とするところは、遊技制御キャビネットをメダル制御キャビネットに固定手段を介して封印することができて、遊技制御キャビネットの内部の主制御回路基板等に不正行為が行われることを防止することができるようにした分離型スロットマシンを提供しようとするものである。
【００１１】
（請求項２）
請求項２記載の発明は、上記した請求項１記載の発明の目的に加え、次の点を目的とする。
すなわち、請求項２記載の発明は、分離型スロットマシンの上側の上扉等が一体となった遊技制御キャビネットを取り替えることにより、交換コストを抑えることができるとともに、遊技内容の変更を簡単な作業によって行うことができ、また、運搬時の安全性を担保することができるようにした分離型スロットマシンを提供しようとするものである。
【００１２】
（請求項３）
請求項３記載の発明は、上記した請求項１又は請求項２記載の発明の目的に加え、次の点を目的とする。
すなわち、請求項３記載の発明は、遊技制御キャビネット及びメダル制御キャビネットのいずれも正面側の正面開口部を除いて、密閉性の高いものにすることができ、運搬時の安全性を良好なものにすることができるようにした分離型スロットマシンを提供しようとするものである。
【００１３】
（請求項４）
請求項４記載の発明は、上記した請求項１又は請求項２に記載の発明の目的に加え、次の点を目的とする。
すなわち、請求項４記載の発明は、遊技制御キャビネットの底板が、メダル制御キャビネットの上板を兼ねることができて、部品数を一つ減らすことができ、部品の共通化を図ることができるようにした分離型スロットマシンを提供しようとするものである。
【００１４】
（請求項５）
請求項５記載の発明は、上記した請求項２乃至４のいずれか１項に記載の発明の目的に加え、次の点を目的とする。
すなわち、請求項５記載の発明は、頻繁に前扉を開ける必要のあるメダル制御キャビネットと、主制御回路基板等の重要部品の収納された遊技制御キャビネットとを、別個に施錠し、かつ別個に解錠することができるようにした分離型スロットマシンを提供しようとするものである。
【００１５】
（請求項６）
請求項６記載の発明は、上記した請求項２乃至５のいずれか１項に記載の発明の目的に加え、次の点を目的とする。
すなわち、請求項６記載の発明は、上記した従来の技術の有する第二の問題点に鑑みてなされたものであり、その目的とするところは、上扉と下扉との間の隙間からドライバー等の工具等を挿入されにくくして、主制御回路基板等にいたずら等がされないようにした分離型スロットマシンを提供しようとするものである。
【００１６】
（請求項７）
請求項７記載の発明は、上記した請求項１乃至６のいずれか１項に記載の発明の目的に加え、次の点を目的とする。
すなわち、請求項７記載の発明は、上記した従来の技術の有する第三の問題点に鑑みてなされたものであり、その目的とするところは、遊技制御キャビネットをメダル制御キャビネットに封印することができて、遊技制御キャビネットの内部の主制御回路基板等に不正行為が行われることを防止することができるようにした分離型スロットマシンを提供しようとするものである。
【００１７】
（請求項８）
請求項８記載の発明は、上記した請求項２乃至７のいずれか１項に記載の発明の目的に加え、次の点を目的とする。
【００１８】
すなわち、請求項８記載の発明は、遊技内容の変更があっても、前パネルを除く下扉を、共通して使用することができ、部品の共通化を図ることができて、コスト低減を図ることができるようにした分離型スロットマシンを提供しようとするものである。
【００１９】
（請求項９）
請求項９記載の発明は、上記した請求項２乃至８のいずれか１項に記載の発明の目的に加え、次の点を目的とする。
すなわち、請求項９記載の発明は、メダル制御キャビネットや、その内部のホッパーユニット等の部品は、そのまま利用して、交換が必要な下扉だけを交換することができ、交換コストを抑えることができるようにした分離型スロットマシンを提供しようとするものである。
【００２０】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
【００２１】
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
（請求項１）
請求項１記載の発明は、次の点を特徴とする。
【００２２】
すなわち、複数の図柄が表示された回転リール(23)及びこの回転リール(23)を回転させるための駆動モータを有するリールユニット(22)と、遊技メダルを払い出すためのホッパーユニット(5)と、前記回転リール(23)及びホッパーユニット(5)の作動を制御するための主制御回路基板(25)と、電源ユニット(4)と、少なくとも正面側に開口する略箱状のメダル制御キャビネット(9)と、前記メダル制御キャビネット(9)の上側に設置されるとともに、少なくとも正面側に開口する略箱状の遊技制御キャビネット(8)と、前記メダル制御キャビネット(9)及び遊技制御キャビネット(8)の正面側の開口部を開閉自在に塞ぐ前扉(3)と、前記遊技制御キャビネット(8)を、前記メダル制御キャビネット(9)の上に着脱自在に固定するための固定手段(10)とを少なくとも備えた分離型スロットマシン(Ｓ)であって、前記メダル制御キャビネット(9)は、その内部に少なくとも前記ホッパーユニット(5)を備え、前記遊技制御キャビネット(8)は、その内部に少なくとも前記リールユニット(22)及び前記主制御回路基板(25)を備えている。
そして、前記遊技制御キャビネット(8)を、前記メダル制御キャビネット(9)に前記固定手段(10)を介して固定した際に、その固定状態の前記固定手段(10)を封印し、前記遊技制御キャビネット(8)を前記メダル制御キャビネット(9)から取り外す際には、固定状態の前記固定手段(10)の封印を解かれる封印手段(160)を備えたことを特徴とする。
【００２３】
本発明は、分離型スロットマシン(Ｓ)として、少なくともリールユニット(22)及び主制御回路基板(25)を備えた遊技制御キャビネット(8)を交換可能に形成したものである。
ここで、「回転リール(40)」とあるのは、周囲に複数の図柄を表示したものが、実際に回転するようなものに限定されるものではなく、液晶画面に表示されるようなものも含まれるものである。具体的には、例えば、パチンコ機等の遊技盤面の中央に設けた液晶装置を使用することにより、周囲に複数の図柄を表示した回転リールが回転するような画像を当該液晶装置によって遊技者に向かって表示するものも含まれる。
【００２４】
前記前扉(3)は、メダル制御キャビネット(9)及び遊技制御キャビネット(8)の正面側の開口部を、一体として、或いは、それぞれ個別に、開閉自在に塞ぐものであって、前扉(3)を閉めると、分離型スロットマシン(Ｓ)の正面構造となるように形成されているものである。すなわち、回転リール(23)を見ることができる表示窓(31)や、分離型スロットマシン(Ｓ)を操作するための操作部(41)等を設けることができるものである。そして、この前扉(3)は、上下に一体型に形成されていてもよいし、上下に二分割に分離可能に形成することもできる。
【００２５】
前記主制御回路基板(25)は、ＲＯＭ、ＲＡＭ、ＣＰＵ等を有し、主として、当選の抽選や回転リール(23)の停止制御など遊技を制御するものである。そして、これを交換すると遊技内容を変更することができる。
また、遊技内容を変更すると、回転リール(23)の図柄や図柄配置を変更する必要もあることから、リールユニット(22)も主制御回路基板(25)とセットで交換できるようにしたものである。リールユニット(22)は、表面に複数の図柄が表示される回転リール(23)を複数（例えば３個）有し、各回転リール(23)の回転軸にはこれらを回転させるための駆動モータがそれぞれ設けられている。
【００２６】
前記電源ユニット(4)は、分離型スロットマシン(Ｓ)に電源を入れるためのものであり、電源基板や操作スイッチ等からなるものである。
前記ホッパーユニット(5)は、遊技の結果、入賞により、遊技者に向かって遊技メダルを払い出すとともに遊技メダルを貯留しておくためのものである。
前記固定手段(10)は、遊技制御キャビネット(8)を、メダル制御キャビネット(9)の上に着脱自在に固定するためのものである。そして、この固定手段(10)は、遊技制御キャビネット(8)をメダル制御キャビネット(9)に固定した状態の固定状態と、遊技制御キャビネット(8)をメダル制御キャビネット(9)から取り外し可能な状態の固定解除状態とを切り替えることが可能なものである。この固定手段(10)は、具体的には、例えば、遊技制御キャビネット(8)及びメダル制御キャビネット(9)のいずれか一方に固定したフック状のフック部(120)と、遊技制御キャビネット(8)及びメダル制御キャビネット(9)のうち、フック部(120)を設けていない他方に固定され、前記フック部(120)に係合可能なクリップ状の固定手段(10)からなるようなものを含むものである。
なお、封印手段(160)は、請求項７の手段で説明している種々の例を含むものである。
【００２７】
（作用）
本発明によれば、遊技内容を変えたいときには、前扉(3)を開けて、前扉(3)をメダル制御キャビネット(9)及び遊技制御キャビネット(8)から取り外し、メダル制御キャビネット(9)は取り替えずに、そのまま使用し、新しい遊技制御キャビネット(8)を取り付けることができる。これにより、遊技内容の変更に何ら影響を及ぼさないホッパーユニット(5)等のメダル制御キャビネット(9)は、遊技内容が何度、変更されても、そのまま使用することができ、遊技内容に直接関係ない、ホッパーユニット(5)等の部品をそのまま再利用することができる。これにより、遊技内容の変更とともにスロットマシン全体を交換するようなものと比較して、交換部品数を少なくすることができ、交換に要する費用を、抑えることができ、限られた資源を有効に活用することができる。
本発明によれば、固定手段(10)の固定状態を解除して、遊技制御キャビネット(8)をメダル制御キャビネット(9)から取り外すには、固定手段(10)の固定状態を解除しなければならず、そして、固定手段(10)の固定状態を解除するためには、封印手段(160)の封印を解かなければならない。このため、遊技制御キャビネット(8)をメダル制御キャビネット(9)から取り外すには、封印手段(160)の封印を解いて、固定手段(10)の固定状態を解除しなければならず、不正交換を防止することができる。そして、封印手段(160)が封印を解かれていない状態（封印状態）を維持している場合には、メダル制御キャビネット(9)から遊技制御キャビネット(8)が取り外されていないこととなり、不正行為が行われていないことを担保することができる。
【００２８】
（請求項２）
請求項２記載の発明は、上記した請求項１記載の発明の特徴点に加え、次の点を特徴とする。
すなわち、前記前扉(3)は、前記メダル制御キャビネット(9)の正面側の開口部を開閉自在に塞ぐ下扉(40)と、前記遊技制御キャビネット(8)の正面側の開口部を開閉自在に塞ぐ上扉(30)とを備えている。
【００２９】
そして、前記上扉(30)には、前記遊技制御キャビネット(8)に係合するための上扉用係合部(61)が設けられるとともに、前記遊技制御キャビネット(8)には、前記上扉用係合部(61)と回転自在に係合するための上扉用被係合部(60)が設けてある。
そして、前記下扉(40)には、前記メダル制御キャビネット(9)に係合するための下扉用係合部(63)が設けられるとともに、前記メダル制御キャビネット(9)には、前記下扉用係合部(63)と回転自在に係合するための下扉用被係合部(62)が設けてあることを特徴とする。
【００３０】
本発明は、前扉(3)を上扉(30)と下扉(40)との上下に二分割し、上扉(30)を遊技制御キャビネット(8)に取り付け、下扉(40)をメダル制御キャビネット(9)に取り付けるように形成したものである。
ここで、上扉用係合部(61)及び上扉用被係合部(60)や、下扉用係合部(63)及び下扉用被係合部(62)は、例えば、一方の係合部が円柱状の軸状部材、他方の被係合部が、かかる円柱状の軸状部材の周囲に回動可能にはまり込む円筒状の円筒部材からなるような、互いに分離可能なヒンジ構造のようなものを含むものである。そして、これらを互いに回動可能に係合させることにより、遊技制御キャビネット(8)に上扉(30)を、また、メダル制御キャビネット(9)に下扉(40)を開閉可能に支持させることができるものである。
【００３１】
本発明において、リールユニット(22)及び主制御回路基板(25)は、遊技制御キャビネット(8)の内部に取り付けられるものである。取り付けは、リールユニット(22)及び主制御回路基板(25)を、直接、遊技制御キャビネット(8)に固定しても良いし、また、リールユニット(22)及び主制御回路基板(25)を、枠状の支持体(21)に固定して、かかる支持体(21)を遊技制御キャビネット(8)に固定することにより、リールユニット(22)及び主制御回路基板(25)等を遊技制御キャビネット(8)に固定するようにしても良いものである。
【００３２】
（作用）
本発明によれば、遊技内容を変更する場合には、固定手段(10)の固定状態を解除した後、上扉(30)により正面側を塞いだ状態のまま、遊技制御キャビネット(8)からリールユニット(22)や主制御回路基板(25)を取り外すことなく、遊技制御キャビネット(8)ごと、取り外すことができる。そして、遊技内容の変更に係るリールユニット(22)、主制御回路基板(25)及び上扉(30)を有する新たな遊技制御キャビネット(8)を、共通して使用可能なメダル制御キャビネット(9)に、固定手段(10)を介して固定するだけで、遊技内容を異なるものにすることができる。このため、リールユニット(22)、主制御回路基板(25)及び上扉(30)を取り付けた状態のままの一体となった遊技制御キャビネット(8)、すなわち、分離型スロットマシン(Ｓ)の一体となった上側を、取り替えることにより、遊技内容の変更をすることができる。
【００３３】
そして、ホッパーユニット(5)及び下扉(40)を取り付けた状態のままの一体となったメダル制御キャビネット(9)、すなわち、遊技内容の変更に直接関係のない、分離型スロットマシン(Ｓ)の一体となった下側は、そのまま何回も利用することができる。
これにより、交換する部品数を抑えることができて、交換コストを抑えることができるとともに、遊技内容の変更を簡単な作業によって行うことができる。
【００３４】
そして、本発明では、遊技制御キャビネット(8)の正面側の開口部を上扉(30)で塞ぎ、メダル制御キャビネット(9)の正面側の開口部を下扉(40)で塞ぐことができる。このため、遊技制御キャビネット(8)及びメダル制御キャビネット(9)を分離した状態で、上扉(30)及び下扉(40)により、開口部を塞いで、閉じた状態にすることができる。これにより、遊技内容の変更に伴う遊技制御キャビネット(8)の運搬時においても、その内部のリールユニット(22)や主制御回路基板(25)を外部から遮断して、安全性を担保することができる。
【００３５】
（請求項３）
請求項３記載の発明は、上記した請求項１又は請求項２記載の発明の特徴点に加え、次の点を特徴とする。
すなわち、前記遊技制御キャビネット(8)及び前記メダル制御キャビネット(9)は、底面を塞ぐための底板と、左右の両側面を塞ぐための左右の側板と、裏面側を塞ぐための裏板と、上面を塞ぐための上板と、正面側に開口する正面開口部(26)とをそれぞれ備えたことを特徴とする。
【００３６】
本発明は、具体的には、図１及び図２に示すように遊技制御キャビネット(8)及びメダル制御キャビネット(9)が、正面側に開口する正面開口部(26)を設け、その他の面は、底板（上部底板(15)及び下部底板(16)）、側板（上部側板(13)及び下部側板(14)）、裏板（上部裏板(17)及び下部裏板(18)）、上板（上部上板(11)及び下部上板(12)）により塞いだ状態の箱状となっているものである。
【００３７】
（作用）
本発明は、遊技制御キャビネット(8)及びメダル制御キャビネット(9)のいずれも、正面側にだけ開口する正面開口部(26)を設け、その他は塞いだ状態にすることができる。これにより、遊技制御キャビネット(8)及びメダル制御キャビネット(9)のいずれも正面側の正面開口部(26)を除いて、密閉性の高いものにすることができ、運搬時の安全性を良好なものにすることができる。
【００３８】
（請求項４）
請求項４記載の発明は、上記した請求項１又は請求項２に記載の発明の特徴点に加え、次の点を特徴とする。
すなわち、前記遊技制御キャビネット(8)は、底面を塞ぐための底板と、左右の両側面を塞ぐための左右の側板と、裏面側を塞ぐための裏板と、上面を塞ぐための上板と、正面側に開口する正面開口部(26)とを備えている。
【００３９】
そして、前記メダル制御キャビネット(9)は、下側を塞ぐための底板と、左右の両側面を塞ぐための左右の側板と、裏面側を塞ぐための裏板と、正面側に開口する正面開口部(26)と、上面側に開口する上面開口部(27)とを備えたことを特徴とする。
本発明は、具体的には、図１８に示すように、遊技制御キャビネット(8)が、正面側に開口する正面開口部(26)を設け、その他の面は、底板（上部底板(15)）、側板（上部側板(13)）、裏板（上部裏板(17)）、上板（上部上板(11)）により塞いだ状態の箱状となっているものである。そして、メダル制御キャビネット(9)が、正面側に開口する正面開口部(26)と、上面側に開口する上面開口部(27)とを設け、その他の面は、底板（下部底板(16)）、側板（下部側板(14)）、裏板（下部裏板(18)）により塞いだ状態の略箱状となっているものである。
【００４０】
（作用）
本発明は、メダル制御キャビネット(9)が、上面側に開口する上面開口部(27)を設けている。そして、メダル制御キャビネット(9)の上に遊技制御キャビネット(8)を固定した際に、遊技制御キャビネット(8)の底板（上部底板(15)）が、メダル制御キャビネット(9)の上面開口部(27)を塞ぐことができる。すなわち、遊技制御キャビネット(8)の底板（上部底板(15)）が、メダル制御キャビネット(9)の上板を兼ねることができるものである。これにより、メダル制御キャビネット(9)の上面側に上板を有するようなものと比較して、部品数を一つ減らすことができて、部品の共通化を図ることができる。
【００４１】
（請求項５）
請求項５記載の発明は、上記した請求項２乃至４のいずれか１項に記載の発明の特徴点に加え、次の点を特徴とする。
すなわち、前記上扉(30)は、前記遊技制御キャビネット(8)の前記正面開口部(26)を施錠可能に形成するとともに、前記下扉(40)は、前記メダル制御キャビネット(9)の前記正面開口部(26)を施錠可能に形成し、前記上扉(30)の解錠手段は、前記下扉(40)の解錠手段とは別個に設けたことを特徴とする。
【００４２】
本発明は、前記上扉(30)が、前記リールユニット(22)及び主制御回路基板(25)を収納した遊技制御キャビネット(8)の正面開口部を施錠可能に形成されており、一方、前記下扉(40)が、ホッパーユニット(5)を収納したメダル制御キャビネット(9)の正面開口部を施錠可能に形成されている。
具体的には、本発明は、上扉(30)及び下扉(40)を、それぞれのキャビネットに、施錠可能、いわゆるロック可能なロック機構(7)を備えているものである。さらに、本発明に係る分離型スロットマシン(Ｓ)は、上扉(30)を、遊技制御キャビネット(8)にロック（施錠）可能な上扉ロック機構(7a)を設け、下扉(40)を、メダル制御キャビネット(9)にロック可能な下扉ロック機構(7b)を設けているものである。
【００４３】
さらに、上扉(30)と下扉(40)とは別々に施錠されるようになっている。例えば、上扉(30)と下扉(40)との鍵穴を別々に設けて、異なる鍵によりそれぞれ解錠するようにしても良いし、一方の扉を解錠しないと他方の扉が開かないように形成しても良いものである。
（作用）
前記ホッパーユニット(5)を有するメダル制御キャビネット(9)は、遊技メダルのメダル詰まり等のトラブル解消等により、遊技ホールの従業員により頻繁に操作する必要がある一方、主制御回路基板(25)や、リールユニット(22)を有する遊技制御キャビネット(8)は、逆に特定の人でなければ操作できないようにすることが望ましい。本発明によれば、頻繁に前扉(3)を開ける必要のあるメダル制御キャビネット(9)と、主制御回路基板(25)等の重要部品の収納された遊技制御キャビネット(8)とを、別個に施錠し、かつ別個に解錠することができる。
【００４４】
（請求項６）
請求項６記載の発明は、上記した請求項２乃至５のいずれか１項に記載の発明の特徴点に加え、次の点を特徴とする。
すなわち、前記上扉(30)の下側端部に、下扉(40)の上側端部の裏面にまで達する隠し部(34)を設けたことを特徴とする。
【００４５】
なお、「隠し部(34)」は、上扉(30)と一体的に形成してもよく、また、上扉(30)とは別個に形成し、例えばビス等を用いて、上扉(30)に固定しても良いものである。
（作用）
本発明は、隠し部(34)を設けたことにより、上扉(30)と下扉(40)との間の隙間からドライバー等の工具等が挿入されにくくすることができる。これにより、主制御回路基板(25)等の内部部品にいたずら等をされにくくすることができる。
【００４６】
（請求項７）
請求項７記載の発明は、上記した請求項１乃至６のいずれか１項に記載の発明の特徴点に加え、次の点を特徴とする。
すなわち、前記遊技制御キャビネット(8)を、前記固定手段(10)により、前記メダル制御キャビネット(9)に固定した際に、前記遊技制御キャビネット(8)及び前記メダル遊技制御キャビネット(8)の間を封印し、前記遊技制御キャビネット(8)を前記メダル制御キャビネット(9)から取り外す際には封印を解かれる封印手段(160)を備えたことを特徴とする。
【００４７】
本発明は、遊技制御キャビネット(8)及びメダル制御キャビネット(9)の間を、直接的に封印するものである。
また、ここで、「封印」とは、封止部に印が押される、いわゆる「封印」のみに限らず、封印に係る両者（ここでは、遊技制御キャビネット(8)及びメダル制御キャビネット(9)）が予定を越えて離されたり、位置関係を変えられたりすると、その痕跡が残って発見できるような状態を総称していう。封印した状態では、遊技制御キャビネット(8)をメダル制御キャビネット(9)から取り外すことができないものであって、遊技制御キャビネット(8)をメダル制御キャビネット(9)から取り外すためには、一旦封印した状態を解かなければならず、いわゆる封印解除状態にしなければならず、その際には、封印解除した何らかの痕跡が残るように設定されているものである。具体的には、例えば、一旦、貼付した後、剥離すると、貼付面に何らかの文字や模様が残存するような封印シール(162)や、一旦、封印状態にすると、その封印状態を解除するためには、その一部を切断、変形又は破損しなければならない封印具(161)を用いるものや、封印状態を解除すると、復元できない曲折が残存し、或いは、変色等により、封印を解除した痕跡が残るような封印具(161)を使用するものを含むものである。
【００４８】
ここで、以下に、封印手段(160)について、具体的に説明する。
前記封印手段(160)は、具体的には、例えば、図１４に示すように、遊技制御キャビネット(8)と、メダル制御キャビネット(9)と、それらの両方に通して、環状に閉じることができる封印具(161)とを備え、この封印具(161)は、一旦、環状に閉じると、その途中を切断しない限り、開くことができないようなものを含むものである。かかる封印具(161)は、一旦、環状に閉じると、その途中を切断しない限り、開くことができない。このため、遊技制御キャビネット(8)をメダル制御キャビネット(9)から取り外すには、封印具(161)を切断しなければならず、不正交換を防止することができる。そして、封印具(161)が環状に閉じた状態を維持している場合には、メダル制御キャビネット(9)から遊技制御キャビネット(8)が取り外されていないこととなり、不正行為が行われていないことを担保することができるものである。
【００４９】
そして、前記封印具(161)は、具体的には、例えば、図１５に示すように、全体が曲折可能な長尺状であって、その一方の端部に表面から突出する爪(175)を有する封印係合部(172)と、前記封印係合部(172)から伸びる中間部(174)と、前記中間部(174)の他方側の端部に前記封印係合部(172)が、差し込み可能な筒状の封印被係合部(173)と、表面に情報を表示可能な表示部(176)とを備え、前記封印係合部(172)を前記封印被係合部(173)に一旦差し込むと前記爪(175)が引っかかって、環状を形成し、前記中間部(174)を切断しない限り、環状を維持することを特徴とするようなものを含むものである。なお、ここで、「情報」とは、封印した年月日や、回数や、理由等の封印に関連するものを含むものである。また、この「情報」には、特定の企業を意味するデザインや、マークや、識別力を有する文字や模様や、複製が容易ではない複雑な模様や写真やホログラム等を含むものである。かかる封印具(161)は、封印係合部(172)を封印被係合部(173)に差し込むだけで、爪(175)が封印被係合部(173)に引っかかって、環状を形成することができ、簡単に封印状態を形成することができる。そして、封印係合部(172)を封印被係合部(173)に一旦差し込むと爪(175)が引っかかって、環状を形成し、前記中間部(174)を切断しない限り、環状を維持する。このため、遊技制御キャビネット(8)をメダル制御キャビネット(9)から取り外すには、封印具(161)の中間部(174)を切断しなければならず、不正交換を防止することができる。そして、封印具(161)の中間部(174)が切断されずに封印具(161)が環状に閉じた状態を維持している場合には、かかる封印具(161)の取り付け以後、メダル制御キャビネット(9)から遊技制御キャビネット(8)が取り外されていないこととなり、不正行為が行われていないことを担保することができる。さらに、かかる封印具(161)は、情報を表示可能な表示部(176)を備えている。このため、封印に関する日時や、識別力を有する模様等の種々の情報を書き込むことにより、或いは、書き込んだシール等を貼付することにより、かかる情報を表示することができる。これにより、封印内容の確認作業を容易に行うことができる。
【００５０】
また、前記封印手段(160)は、具体的には、例えば、図２５の一点鎖線で示すように、前記遊技制御キャビネット(8)と、前記上部ユニット(2)との間に、貼付後、剥離すると、その痕跡が残るようにした封印シール(162)を備えたものでも良いものである。かかる封印手段(160)は、封印シール(162)を有しているため、この封印シール(162)を一旦、貼付した後、遊技制御キャビネット(8)をメダル制御キャビネット(9)から取り外す場合、必ず、封印シール(162)の一部が剥離することとなり、剥離の痕跡が残る。これにより、不正交換を防止することができる。すなわち、封印シール(162)が、何の痕跡も残さずに、貼付された状態を維持している場合には、メダル制御キャビネット(9)から遊技制御キャビネット(8)が取り外されていないこととなり、不正行為が行われていないことを担保することができる。
【００５１】
また、前記封印手段(160)は、具体的には、例えば、図１９に示すように、遊技制御キャビネット(8)と、前記メダル制御キャビネット(9)との間に、ねじ込み可能だが、取り外しが不可能な封印ねじ(163)を設けたものでも良いものである。かかる封印ねじ(163)を一旦、ねじ込むと、封印ねじ(163)の取り外しが不可能となる。これにより、不正交換を防止することができる。すなわち、封印ねじ(163)が、ねじ込まれた状態を維持している場合には、メダル制御キャビネット(9)から遊技制御キャビネット(8)が取り外されていないこととなり、不正行為が行われていないことを担保することができる。
【００５２】
また、前記封印手段(160)は、具体的には、例えば、図２５に示すように、遊技制御キャビネット(8)及びメダル制御キャビネット(9)の少なくとも一方を通した紐状部材(180)と、前記紐状部材(180)を通すとともに、前記遊技制御キャビネット(8)及びメダル制御キャビネット(9)の少なくとも他方を通して、少なくとも一端をかしめることにより、前記遊技制御キャビネット(8)及びメダル制御キャビネット(9)を封印可能なかしめ部材(164)とを備えたものでも良いものである。かかるかしめ部材(181)の少なくとも一端を、かしめることにより、かかるかしめ部材(181)を切断や破損しないかぎり、かしめ部材(181)から遊技制御キャビネット(8)を取り外すことができなくなり、不正交換を防止することができる。すなわち、かしめ部材(181)は、紐状部材(180)を介して、遊技制御キャビネット(8)とメダル制御キャビネット(9)とを封印することができる。そして、かしめ部材(181)が、かしめられた状態を維持している場合には、メダル制御キャビネット(9)から遊技制御キャビネット(8)が取り外されていないこととなり、不正行為が行われていないことを担保することができる。
【００５３】
（作用）
本発明は、かかる封印手段(160)を備えているため、遊技制御キャビネット(8)をメダル制御キャビネット(9)に封印することができる。これにより、遊技制御キャビネット(8)が取り外されて、その内部の主制御回路基板(25)等に不正行為が行われることを防止することができる。
【００５４】
（請求項８）
請求項８記載の発明は、上記した請求項２乃至７のいずれか１項に記載の発明の特徴点に加え、次の点を特徴とする。
【００５５】
すなわち、前記下扉(40)は、着脱自在に形成した前パネル(50)を取り付けたことを特徴とする。
【００５６】
ここで、「前パネル(50)」は、遊技者に向かって遊技内容を表示したり、装飾として使用するためのものである。
（作用）
本発明は、遊技制御キャビネット(8)の交換に伴う遊技変更に際し、前パネル(50)を交換して、下扉(40)を交換することなく、そのまま利用することができる。これにより、遊技内容の変更があっても、前パネル(50)を除く下扉(40)を、共通して使用することができ、部品の共通化を図ることができて、コスト低減を図ることができる。
【００５７】
（請求項９）
請求項９記載の発明は、上記した請求項２乃至８のいずれか１項に記載の発明の特徴点に加え、次の点を特徴とする。
【００５８】
すなわち、前記メダル制御キャビネット(9)は、前記下扉(40)を交換可能に形成したことを特徴とする。
【００５９】
（作用）
通常の遊技内容の変更においては、遊技制御キャビネット(8)を取り替え、メダル制御キャビネット(9)及び下扉(40)は、そのまま使用することができる。しかし、遊技内容の変更回数が多くなると、下扉(40)が損傷してくるため、ホッパーユニット(5)を有するメダル制御キャビネット(9)は、そのままで、下扉(40)を、遊技制御キャビネット(8)の取り替えとともに、交換することができる。これにより、メダル制御キャビネット(9)や、その内部のホッパーユニット(5)等の部品は、そのまま利用して、使用により損傷した下扉(40)や、或いは遊技変更に伴う設計変更が必要な下扉(40)だけを交換することができ、交換コストを抑えることができる。
【００６０】
【発明の実施の形態】
（第一の実施の形態）
本発明の第一の実施の形態を図面に基づき説明する。
（図面の説明）
図１乃至図１７は、本発明の第一の実施の形態を示すものである。
【００６１】
図１及び図２は分離型スロットマシンの分解斜視図、図３は遊技制御キャビネット及びメダル制御キャビネットを組み合わせた状態の本体キャビネットの外観正面図、図４は分離型スロットマシンの外観側面図、図５及び図６は上扉の下側端部の隠し部の概略縦断面図、図７は向かって右側の固定手段の外観正面図、図８は向かって左側の固定手段の外観正面図、図９は斜め下方から見た固定操作中の向かって右側の固定手段の外観斜視図、図１０は斜め下方から見た向かって右側の固定手段の固定状態の外観斜視図、図１１は斜め下方から見た向かって左側の固定手段の固定状態の外観斜視図、図１２は固定手段の分解斜視図、図１３は固定手段の外観側面図、図１４は封印具の外観斜視図、図１５は封印具の一部縦断面図、図１６は上扉の上扉ロック機構の概略説明図、図１７は前パネルを下扉に取り付けた状態の概略縦断面図をそれぞれ示すものである。
【００６２】
本実施の形態における分離型スロットマシンは、図１に示すように、大きく分けて、正面側に開口して、リールユニット22や主制御回路基板25やホッパーユニット5等の各種部品を内部に収納するための木質からなる略箱状の本体キャビネット1と、この本体キャビネット1の内部に固定される上部ユニット2と、本体キャビネット1の正面側の開口部を開閉自在に塞ぐ前扉3とを備えている。
【００６３】
上記本体キャビネット1は、その下部に位置する略箱状のメダル制御キャビネット9と、本体キャビネット1の上部に位置する略箱状の遊技制御キャビネット8とを備えている。そして、分離型スロットマシンＳは、遊技制御キャビネット8を、メダル制御キャビネット9の上に着脱自在に固定するための固定手段10を備えているものである。この固定手段10は、メダル制御キャビネット9に固定されたフック部120と、遊技制御キャビネット8に固定されて、フック部120に係合可能な固定装置130とを備えている。
【００６４】
上記前扉3は、メダル制御キャビネット9の正面側の正面開口部26を開閉自在に塞ぐ下扉40と、遊技制御キャビネット8の正面側の正面開口部26を開閉自在に塞ぐ上扉30とを備えている。
（メダル制御キャビネット9）
上記メダル制御キャビネット9は、本体キャビネット1の略下半分に位置して、正面側に開口する略箱状のものである。そして、このメダル制御キャビネット9は、分離型スロットマシンＳが設置される基礎に、ボルトや釘等により固定されるものである。
【００６５】
上記メダル制御キャビネット9は、底面を塞ぐための下部底板16と、左右の両側面を塞ぐための左右の下部側板14と、裏面側を塞ぐための下部裏板18と、上面を塞ぐための下部上板12と、正面側に開口する正面開口部26とを備えている。この上面を塞ぐための下部上板12は、メダル制御キャビネット9の上に遊技制御キャビネット8を設置した場合、遊技制御キャビネット8の上部底板15とともに、分離型スロットマシンＳの上下を仕切る中板に相当する部分となるものである。そして、この下部上板12の下面には、電源ユニット4が設けられ、下部底板16にはホッパーユニット5が固定されている。なお、電源ユニット4の正面側には、遊技店側が種々の設定を行うための種々の操作スイッチからなる店操作部100が形成されている。
【００６６】
上記電源ユニット4及びホッパーユニット5は、遊技制御キャビネット8の交換により、遊技内容を変更するに際して、必ずしも交換する必要のないものであり、交換時には設置されたままにしておけるようになっているものである。
上記メダル制御キャビネット9には、下扉40の下扉用係合部63と回転自在に係合して支持するための下扉用被係合部62が設けてある。
【００６７】
この下扉用被係合部62は、メダル制御キャビネット9の向かって左側の縦枠から略正面側に突出する張り出し部と、この張り出し部の先端に設けられたピンとからなり、縦枠に上下方向に２つ所定間隔を置いて配置されている。
さらに、メダル制御キャビネット9の向かって右側の下部側板14の正面側の縦枠端部には、下扉40を閉めた際、下扉40をロックするための突出片90（下扉ロック機構7b）が、上下方向に間隔をおいて二つ設けられている。この突出片90は、四角板状の金属片からなるものであり、その表裏面を、前後方向に臨むように配置されている。この突出片90が、下扉40の向かって右側の裏面側にある下扉ロック機構7bの可動部80の溝部81bに入り込むことにより、下扉40とメダル制御キャビネット9とをロック状態にすることができるものである。
【００６８】
上記メダル制御キャビネット9の下部上板12は、固定手段10を使用するための表裏に貫通する下部固定用孔250が、左右に合計で二個、形成されている。そして、この左右の下部固定用孔250の下方の下部側板14には、固定手段10のフック部120が、それぞれ固定されている。
上記メダル制御キャビネット9の下部上板12の奥側の左右には、表裏に貫通する長方形状の下部結線用孔230が形成されている。この下部結線用孔230は、メダル制御キャビネット9内の部品と、遊技制御キャビネット8内の部品との間で、電力ケーブルや、制御信号線等の結線を通すためのものである。
【００６９】
（遊技制御キャビネット8）
上記遊技制御キャビネット8は、前記メダル制御キャビネット9の上側に設置されて本体キャビネット1の略上半分に位置し、正面側に開口する正面開口部26を有する略箱状のものである。
上記遊技制御キャビネット8は、底面を塞ぐための上部底板15と、左右の両側面を塞ぐための左右の上部側板13と、裏面側を塞ぐための上部裏板17と、上面を塞ぐための上部上板11と、正面側に開口する正面開口部26とを備えている。この底面を塞ぐための上部底板15は、メダル制御キャビネット9の上に遊技制御キャビネット8を設置した場合、メダル制御キャビネット9の下部上板12とともに、分離型スロットマシンＳの上下を仕切る中板に相当する部分となるものである。
【００７０】
上記遊技制御キャビネット8は、その上部底板15の上面に、上部ユニット2をねじ等により固定可能に形成されている。この上部ユニット2は、遊技内容を変更するに際して、必ず交換する必要のあるものであり、遊技制御キャビネット8を別の新たな遊技制御キャビネット8に取り替えることにより、上部ユニット2も新たな別のものに交換されるものである。
【００７１】
上記遊技制御キャビネット8には、上扉30の上扉用係合部61と回転自在に係合するための上扉用被係合部60が設けてある。
この上扉用被係合部60は、遊技制御キャビネット8の向かって左側の縦枠から略正面側に突出する張り出し部と、この張り出し部の先端に設けられたピンとからなり、縦枠に上下方向に２つ所定間隔を置いて配置されている。
【００７２】
さらに、遊技制御キャビネット8の向かって右側の上部側板13の正面側の縦枠端部には、上扉30を閉めた際、上扉30をロックするための突出片90（上扉ロック機構7a）が、上下方向に間隔をおいて二つ設けられている。この突出片90は、四角板状の金属片からなるものであり、突出片90の表裏面を、分離型スロットマシンＳの前後方向に臨むように配置されている。この突出片90が、上扉30の向かって右側の裏面側にある上扉ロック機構7aの可動部80の溝部81bに入り込むことにより、上扉30と遊技制御キャビネット8とをロック状態にすることができるものである。
【００７３】
上記遊技制御キャビネット8の上部底板15は、固定手段10を使用するための表裏に貫通する上部固定用孔240が、左右に合計で二個、形成されている。そして、この左右の上部固定用孔240の上方の上部側板13には、固定手段10の固定装置130が、それぞれ固定されている。この遊技制御キャビネット8の固定手段10の固定装置130が、メダル制御キャビネット9の固定手段10のフック部120と係合することにより、遊技制御キャビネット8とメダル制御キャビネット9とを固定することができるものである。
【００７４】
上記遊技制御キャビネット8の上部上板11の奥側の左右には、表裏に貫通する長方形状の上部結線用孔220が形成されている。この上部結線用孔220は、メダル制御キャビネット9内の部品と、遊技制御キャビネット8内の部品との間で、電力ケーブルや、制御信号線等の結線を通すためのものである。
（上部ユニット2）
上記上部ユニット2は、種々の部品を設置あるいは固定するための四角枠状の部材を組み合わせた支持体21と、この支持体21に固定されたリールユニット22及び基板ユニット24とから形成されている。
【００７５】
ここで、リールユニット22は、周囲に複数の図柄を表示した複数の回転リール23と、特に図示しないが、回転リール23を回転させるための駆動モータを有している。また、基板ユニット24には、遊技及びスロットマシンの作動を制御するための主制御回路基板25と、各種演出を行うための副制御回路基板が含まれている。
【００７６】
上記上部ユニット2は、遊技制御キャビネット8の上部底板15に、特に図示していないが、ねじ等により固定されるものである。なお、上部ユニット2は、上述したようにねじ等により固定されるものであるが、クリップ状の固定装置等を使用して、遊技制御キャビネット8の内部から簡単に着脱自在となるように形成しても良いものである。例えば、上部ユニット2の前面側の左右の側部に、フック状のフック部120と同一構造のものを固定し、遊技制御キャビネット8の左右の上部側板13の内面に、かかるフック部120に係合可能なクリップ状の固定装置130と同一構造のものを固定するものである。このように形成することにより、遊技制御キャビネット8の内部からも、上部ユニット2全体を簡単に着脱することが可能となるものである。
【００７７】
（上扉30）
上記上扉30は、遊技制御キャビネット8の正面開口部26を塞ぐために遊技制御キャビネット8の向かって左側端部を回転中心として回転自在に形成されている板状の扉である。そして、上扉30は、遊技制御キャビネット8の向かって右側端部の上扉ロック機構7aによりロック可能に形成されている。そして、上扉30は、略中央部に前記回転リール23の図柄を正面側から見ることができる図柄表示窓31を有し、周囲に飾り部33を設けてある。そして、上扉30は種々の表示を行うための表示装置32が設けられているものである。
【００７８】
ここで、前記飾り部33は、ランプ等により形成しても良く、入賞の報知その他の演出時にランプが点滅するようにしてもよい。また、前記表示装置32は、７セグメントＬＥＤ等により数字を表示するものや、特に図示しないが、画像を表示するための液晶画面あるいはＣＲＴなどとしてもよい。
さらに、図２に示すように、上扉30の正面から向かって左側の裏面には、遊技制御キャビネット8の上扉用被係合部60に係合可能な上扉用係合部61が上下方向に間隔をおいて二つ設けられている。そして、上扉30の正面から向かって右側の裏面には、上扉ロック機構7aが設けられている。
【００７９】
上記上扉30の下側端部には、図５に示すように、下扉40の上側端部の裏面にまで達する隠し部34を設けている。
（下扉40）
上記下扉40は、メダル制御キャビネット9の正面開口部26を塞ぐために、メダル制御キャビネット9の向かって左側端部を回転中心として回転自在に形成されている板状の扉である。そして、下扉40は、メダル制御キャビネット9の向かって右側端部の下扉ロック機構7bによりロック可能に形成されている。
【００８０】
下扉40の上部は、分離型スロットマシンＳの遊技時、遊技者が操作するための操作部41となっており、下扉40の上面は、閉扉時においては、上扉30よりも前側に突出するようになっている。また、下部には払い出されたメダルを溜めておくためのメダル受け43が形成されており、下扉40の略中央部には、遊技内容その他の表示をするための前パネル50が嵌め込まれている。
【００８１】
前記操作部41としては、下扉40の上面右端にはメダル投入口42及び上面左側に設けられたベットスイッチ、正面側にはスタートスイッチ及びストップスイッチ及び鍵穴44が設けられている。なお、ベットスイッチとは、貯留メダルをメダル投入に代えるためのものであり、スタートスイッチ及びストップスイッチは、回転リール23の回転を開始及び停止させるためのものである。また、鍵穴44は、下扉40を解錠するためのものであり、この鍵穴44に所定の鍵を差し込んで回すと、下扉40の下扉ロック機構7bが解除されるものである。
【００８２】
さらに、図１に示すように、下扉40の裏面側には、前記メダル投入口42から投入された遊技メダルを誘導しながら遊技メダルの正偽を判断するためのメダルセレクター48が設けられている。そして、下扉40の裏面下部の左右には、種々の音声を出力するためのスピーカ49が設けられている。
また、下扉40の正面から向かって左側の裏面には、メダル制御キャビネット9の下扉用被係合部62に係合可能な下扉用係合部63が上下方向に間隔をおいて二つ設けられている。そして、下扉40の正面から向かって右側の裏面には、下扉ロック機構7bが設けられている。
【００８３】
（隠し部34）
上記隠し部34は、上扉30の下側端部に位置して、下扉40の上側端部の裏面にまで達するものである。具体的には、隠し部34は、図５に示すように、縦断面形状が略Ｌ字状のものである。この隠し部34を上扉30の下側端部に固定することにより、上扉30と下扉40との間の隙間をクランク状にし、これにより、上扉30と下扉40との間の隙間からドライバー等の工具等を挿入されにくくして、主制御回路基板25等にいたずら等をされにくくしているものである。
【００８４】
更に、本実施の形態に係る分離型スロットマシンＳは、隠し部34を金属によって形成することにより、隠し部34を変形しにくくし、これにより、上扉30と下扉40との間の隙間からドライバー等の工具等をより一層挿入されにくくして、主制御回路基板25等にいたずら等をより一層されにくくしているものである。
なお、本実施の形態では、上扉30は、主としてプラスチックによって形成されるとともに、隠し部34は、金属によって形成されるとした。また、隠し部34の上扉30への固定は、ビス及び接着剤等を用いた行われるとした。すなわち、上扉30と隠し部34とは別個に形成されるものとした。ただ、図６に示すように、上扉30と隠し部34とは、一体的に形成することもできる。具体的には、例えば、金属材料を用いて、プレス加工等により、上扉30と隠し部34とを一体的に形成することができる。また、例えば、プラスチック材料を用いて、射出成形等により、上扉30と隠し部34とを一体的に形成することもできる。
【００８５】
そして、上扉30と隠し部34とを一体的に形成することにより、分離型スロットマシンＳの製造工程を減らすことができ、また、隠し部34が上扉30から外れないようにすることもできる。また、隠し部34が上扉30から外れなければ、上扉30と下扉40との間の隙間からドライバー等の工具等をより一層挿入されにくくすることができ、これによっても、主制御回路基板25にいたずら等をより一層されにくくすることができる。
【００８６】
（開口孔部103及びガイド突起部102）
前記遊技制御キャビネット8の上部底板15の左右には、図２に示すように、その下面側に位置して、上方側に向かって円形溝状に開口する開口孔部103が形成されている。そして、メダル制御キャビネット9の下部上板12の左右には、図２に示すように、その上面側に位置して、上方側に向かって突出するとともに、前記開口孔部103に差し込み可能な円板状のガイド突起部102が形成されている。これらの開口孔部103及びガイド突起部102により、遊技制御キャビネット8をメダル制御キャビネット9に載せる位置を容易に得ることができて、位置決め作業を簡単にすることができ、遊技制御キャビネット8の取り付け作業を容易に行うことができるものである。また、一旦、遊技制御キャビネット8をメダル制御キャビネット9の上に載置した後、側方からの力が加わっても、遊技制御キャビネット8の位置がずれるのを防止することができるものである。
【００８７】
（固定手段10）
上記固定手段10は、遊技制御キャビネット8を、メダル制御キャビネット9の上に着脱自在に固定するためのものである。そして、この固定手段10は、上述したようにメダル制御キャビネット9に固定されたフック部120と、遊技制御キャビネット8に固定されて、フック部120に係合可能な固定装置130とを備えている。
【００８８】
前記フック部120は、メダル制御キャビネット9の左右の下部側板14の内面側の上部にそれぞれ、フック取り付けねじ143により固定されている。そして、このフック部120は、上方の遊技制御キャビネット8側に向かって縦断面形状が鉤状（フック状）に延びる金属薄板細片からなるものである。そして、このフック部120は、メダル制御キャビネット9の下部上板12の下部固定用孔250から遊技制御キャビネット8の上部底板15の上部固定用孔240に向かって、そのフック状の先端側が僅かに突出するような位置に固定されている。
【００８９】
前記固定装置130は、遊技制御キャビネット8の左右の上部側板13の内面側の下部にそれぞれ、固定装置取り付けねじ142により固定されている。そして、この固定装置130は、上述したフック部120のフック状の先端部分を引っかけて固定可能なものである。
具体的には、図１２に示すように、固定装置130は、遊技制御キャビネット8の左右の上部側板13の内面の下部に固定装置取り付けねじ142より固定される縦断面形状が略コ字状の固定部材191と、この固定部材191の略コ字状間にわたされた円柱状の回転軸136と、この回転軸136に軸支されて回動可能である断面形状がコ字状の摺動レバー132とを備えている。そして、固定装置130は、摺動レバー132の途中にわたされた基端側ピン138を回転の中心として回転可能なピン移動体139を備えている。そして、このピン移動体139は、上述した基端側ピン138と、この基端側ピン138の両端からそれぞれ伸びるピン連結部133と、このピン連結部133の先端間に位置する先端側ピン131とからなるものである。そして、それぞれのピン連結部133は、固定装置130の内側に位置するとともに一端が基端側ピン138に回動可能に連結されている内側ピン連結部140と、固定装置130の外側に位置するとともに一端が先端側ピン131に回動可能に連結されている外側ピン連結部141とを備えている。そして、内側ピン連結部140及び外側ピン連結部141の連結されていない端部は、横方向に伸びたＴ字状に形成されている。そして、内側ピン連結部140及び外側ピン連結部141は、互いに重ねられて、ばね135の中を通している。すなわち、内側ピン連結部140及び外側ピン連結部141は、連結されている端部と、Ｔ字状の端部との間には、ばね135が挟み込まれているものである。そして、内側ピン連結部140及び外側ピン連結部141を、それらの長手方向に互いに逆方向に引っ張ると、それらのＴ字状頭部の間に挟まれたばね135が、弾性変形して縮むように形成されているものである。これにより、ピン連結部133を長手方向にばね135の付勢力に抗して延ばすことができ、結果として、基端側ピン138と先端側ピン131との間の距離を拡げると、ばね135の付勢力により、両者間の距離を小さくする方向に力を加えた状態にすることができる。
【００９０】
前記固定部材191は、その回転軸136を設けた端部の反対側の端部に、表裏に貫通する固定側貫通孔192が形成されている。そして、摺動レバー132にも、その回転軸136と反対側の端部に、固定側貫通孔192と同一の直径からなり、表裏に貫通する摺動側貫通孔193が形成されている。この固定側貫通孔192及び摺動側貫通孔193は、摺動レバー132を固定部材191に重ねた状態で、それらの孔の中心軸が同一方向に揃うように配置されている。そして、摺動レバー132は、その回転軸136と反対方向の端部近傍に、表裏に貫通する摺動側ねじ孔194が形成されている。そして、固定部材191にも、図１２に示すように、回転軸136を有する端部と反対方向の端部近傍に、表裏に貫通する固定側ねじ孔195が形成されている。この摺動側ねじ孔194及び固定側ねじ孔195も、摺動レバー132を固定部材191に重ねた状態で、それらの孔の中心軸が同一方向に揃うように配置されている。
【００９１】
上記固定装置130の取り扱い手順を以下に示す。
先ず、遊技制御キャビネット8を固定手段10を介してメダル制御キャビネット9に固定する場合、図９に示すように、摺動レバー132を下方側に開いた状態で、ピン移動体139の先端側ピン131を、上部固定用孔240及び下部固定用孔250を通してメダル制御キャビネット9のフック部120に引っかける。そして、先端側ピン131にフック部120を引っかけた状態のまま、摺動レバー132を遊技制御キャビネット8の上方に向かって閉じることにより、ばね135の付勢力により、フック部120と固定装置130との距離を縮める方向に力を加えた状態にすることができ、すなわち、固定装置130を下方側のメダル制御キャビネット9側に引っ張った状態で維持することができるものである。これにより、フック部120及び固定装置130を介して、遊技制御キャビネット8を、メダル制御キャビネット9に向かって引っ張りながら固定することができる。一方、遊技制御キャビネット8を固定手段10を介してメダル制御キャビネット9から取り外す場合、上記手順を逆に行うことにより可能なものである。すなわち、摺動レバー132が閉じた状態（図１０）から、摺動レバー132を下方側に向かって開く（図９）。そして、摺動レバー132が開いた状態において、フック部120から先端側ピン131を取り外すことにより、かかるロック状態（固定状態）が解除されるものである。
【００９２】
本実施の形態に係る固定手段10は、先端側ピン131をフック部120に引っかけて、摺動レバー132を閉じるだけで、簡単にフック部120を固定装置130に固定することができ、ロック状態にすることができるものである。また、逆に、摺動レバー132を開いて、先端側ピン131をフック部120から取り外すだけで、簡単にフック部120を固定装置130から外すことができ、ロック状態を解除することができるものである。これにより、遊技制御キャビネット8のメダル制御キャビネット9への取り付け作業や、遊技制御キャビネット8のメダル制御キャビネット9からの取り外し作業を、簡単なものにすることができるものである。
【００９３】
そして、固定手段10は左右に２個形成されているが、向かって右側の固定手段10は、摺動レバー132を閉じた状態で、固定側貫通孔192及び摺動側貫通孔193の両方に封印具161を通して、環状に閉じることにより、封印具161を切断することなく、固定手段10の固定状態を解除することができないように設定している。これにより、固定手段10の固定状態を解除して遊技制御キャビネット8をメダル制御キャビネット9から取り外すには、封印具161の切断を要することとなり、遊技制御キャビネット8をメダル制御キャビネット9に封印することができるものである。
【００９４】
また、向かって左側の固定手段10は、図１１に示すように、摺動レバー132を閉じた状態で、摺動側ねじ孔194及び固定側ねじ孔195の両者を貫通するように、遊技制御キャビネット8の上部側板13に固定ねじ182をねじ込んでいる。これにより、遊技制御キャビネット8をメダル制御キャビネット9から取り外す場合、摺動レバー132を引くだけで、固定手段10の固定状態を解除することができず、摺動レバー132を引く前に、固定ねじ182を取り外す作業が必要となる。これにより、ワンタッチで簡単に遊技制御キャビネット8を取り外すことができず、遊技制御キャビネット8の取り外しによる不正行為を抑えることができるものである。
【００９５】
なお、ここで、向かって左側の固定手段10は、封印具161を使用せずに固定ねじ182だけを使用している。一方、向かって右側の固定手段10は、固定ねじ182を使用せずに封印具161だけを使用している。しかし、固定ねじ182と封印具161との使用の組合せは、特にこれに限定されるものではなく、他の使用の組合せでも良いものである。具体的には、例えば、左右両方の固定装置130に、或いは、いずれか一方の固定手段10に、固定ねじ182及び封印具161の両方を併用しても良いものである。
【００９６】
（封印手段160）
上記封印手段160は、主制御回路基板25を有する遊技制御キャビネット8を、メダル制御キャビネット9に固定した際に両者の間を封印し、遊技制御キャビネット8をメダル制御キャビネット9から取り外す際には封印を解かれるものである。
前記封印手段160は、遊技制御キャビネット8をメダル制御キャビネット9に固定した状態の固定手段10に通して、環状に閉じることができる封印具161を備えているものである。この封印具161は、一旦、環状に閉じると、その途中を切断しない限り、環状に閉じた状態を開くことができないものである。すなわち、固定手段10の固定状態を解除して遊技制御キャビネット8をメダル制御キャビネット9から取り外すには、封印具161の切断を要するものである。
【００９７】
前記封印具161は、図１４及び図１５に示すように、全体が曲折可能な長尺状であって、その一方の端部に表面から突出する爪175を有する封印係合部172と、封印係合部172から伸びる中間部174と、この中間部174の他方側の端部に封印係合部172が、差し込み可能な筒状の封印被係合部173と、表面に情報を表示可能な表示部176とを備えている。
【００９８】
前記封印具161は、封印係合部172を封印被係合部173に一旦差し込むと爪175が引っかかって、環状を形成し、中間部174を切断しない限り、環状を維持するものである。このように、封印係合部172を封印被係合部173に差し込むだけで、爪175が封印被係合部173に引っかかって、環状を形成することができ、簡単に封印状態を形成することができるものである。そして、封印具161の封印係合部172と中間部174との間には、図１５に示すように、直径が大きくなった極太部177が形成されている。この極太部177の直径は、封印被係合部173の筒状の内径よりも大きくなるように設定されている。この極太部177を設けたことにより、封印被係合部173の筒状内部に封印係合部172が、さらに奥深く挿入されることを防止して、封印係合部172を封印被係合部173の内部の所定位置にしっかりと固定することができ、封印係合部172と封印被係合部173との結合を確実なものにすることができるものである。
【００９９】
なお、極太部177は、二個形成されているが、先端から二個目の極太部177は、指先による操作性を向上させるためのものであり、一個目の極太部177と二個目の極太部177との間を指先で摘んだ際、極太部177が指先表面に引っかかって、指先と封印具161との間の摩擦抵抗を大きくして、滑らないようにするためのものである。
【０１００】
そして、この封印具161は、封印係合部172を封印被係合部173に差し込む前、すなわち環状を形成する前、メダル制御キャビネット9のフック部120に先端側ピン131を引っかけて、摺動レバー132を閉じた状態の固定装置130の固定側貫通孔192及び摺動側貫通孔193に、その一端を通すものである。そして、この封印具161は、かかる状態の後、封印係合部172を封印被係合部173に差し込んで、環状を維持し、封印状態を形成するものである。
【０１０１】
本実施の形態は、上述したような封印手段160を備えているため、遊技制御キャビネット8をメダル制御キャビネット9に封印することができて、遊技制御キャビネット8毎、メダル制御キャビネット9から取り外されて不正行為が行われることを防止することができる。すなわち、固定手段10の固定状態を解除して、遊技制御キャビネット8をメダル制御キャビネット9から取り外すには、固定手段10の固定状態を解除しなければならず、そして、固定手段10の固定状態を解除するためには、環状の封印具161の中間部174を切断しなければならない。このため、遊技制御キャビネット8をメダル制御キャビネット9から取り外すには、封印具161の中間部174を切断して固定手段10の固定状態を解除しなければならず、不正交換を防止することができる。そして、封印具161が環状に閉じた状態を維持している場合には、遊技制御キャビネット8からメダル制御キャビネット9が取り外されていないこととなり、不正行為が行われていないことを担保することができる。
【０１０２】
さらに、封印具161は、情報を表示可能な表示部176を備えているため、封印に関する日時や、識別力を有する模様等の種々の情報を書き込むことにより、或いは、書き込んだシール等を貼付することにより、かかる情報を表示することができる。これにより、封印内容の確認作業を容易に行うことができる。また、複雑な模様を表示部176に印刷することにより、また、複雑な模様や、ホログラムを有するシールを表示部176に貼付することにより、封印具161の複製をより困難なものとし、不正行為を抑えることができるものである。
【０１０３】
さらに、この表示部176の情報には、実際に直接的に目で見えるものに限定されるものではなく、磁気テープや、バーコードや、ＩＣ等に所定の情報を記録させて、所定の変換装置を利用することにより、情報を表示することができるようなものも含まれるものである。これらを使用することにより、直接、文字等で表示するようなものと比較して、記録できる容量を大幅に増加させることができて、種々の管理情報を記録させることができるものである。
【０１０４】
（ロック機構7）
上記ロック機構7は、前扉3を本体キャビネット1に施錠するためのものである。
上記ロック機構7は、上扉30を遊技制御キャビネット8に施錠するための上扉ロック機構7aと、下扉40をメダル制御キャビネット9に施錠するための下扉ロック機構7bとからなるものである。
【０１０５】
すなわち、上扉30は、遊技制御キャビネット8の正面開口部26を、上扉ロック機構7aにより、施錠可能に形成するとともに、下扉40は、メダル制御キャビネット9の正面開口部26を、下扉ロック機構7bにより、施錠可能に形成するものである。そして、上扉30の解錠手段は、下扉40の解錠手段とは別個に設けたあるものである。
【０１０６】
図１６は、ロック機構のうち、施錠時の上扉ロック機構の概略説明図を示すものである。
上記ロック機構７は、主として、上扉30及び下扉40の裏面側部に設けられた固定部70と、可動部80と、本体キャビネット１に設けられた突出片90とを備えているものである。ここで、上扉30及び下扉40のロック機構７の構造は、基本的には同様であり、下扉40のロック機構７である下扉ロック機構7bは、鍵穴44に所定の鍵を差し込んで解錠するようになっているが、上扉30のロック機構７である上扉ロック機構7aは外側から解錠することができず、下扉40が開いているときにロック解除可能となっている点が異なるものである。ここでは、上扉30のロック機構７について詳述する。
【０１０７】
上記上扉ロック機構7aは、上扉30の裏板に固定された固定部70と、固定部70に上下方向に摺動可能に取り付けられた可動部80を有する。固定部70は可動部80を支持するためのものであり、可動部80は、遊技制御キャビネット8に設けられた突出片90に係合し上扉30と遊技制御キャビネット8とをロックし又はロック解除するためのものである。
【０１０８】
固定部70には、上下二カ所にピン73及びストッパー71が設けられており、これらで可動部80を支持している。さらに、固定部70と可動部80との間に取り付けられたバネ72が、可動部80を常に上方向に引き上げるようにはたらいており、一方、可動部80には段部83が設けられ、この段部83が上部にあるストッパー71に当接して可動部80を係止している。
【０１０９】
そして、可動部80には、斜辺81aと溝部81bを有する係止片81が二つ設けられており、前記溝部81bに突出片90が引っかかり、かつ前記バネ72が可動部80を上方向に引っ張っているので、前扉30と交換ユニット２とがロックされた状態となっているものである。
また、前記可動部80の下端には、ロックを解除するための解除つまみ82が設けられている。この解除つまみ82を下に引っ張ると、係止片81の溝部81bから突出片90が外れ、ロックが解除されるものである。なお、解除つまみ82は、下扉40を開けないと操作できないようになっている。
【０１１０】
さらに、開いた状態の上扉30を閉めるときには、係止片81の斜辺81aが突出片90に当接し、さらに扉を閉める方向に押すと可動部80は徐々に下方に下がっていく。そして、さらに扉を閉める方向に押すと、可動部80はバネ72により上方向に引っ張られているので、ついには突出片90が斜辺81aを乗り越えるような形で溝部81bに嵌り込み、係止片81は突出片90に係止される。すなわち、扉を閉めれば自動的にロックされるように形成されているのである。
【０１１１】
以上のように形成されている上扉30と遊技制御キャビネット8は、上扉30を閉めると、遊技制御キャビネット8の正面開口部26を塞ぐことができ、同時にロックされて正面開口部26を施錠することができる。
ここで、下扉ロック機構7bは、上扉ロック機構7aと略同一であるが、以下の点が異なるものである。すなわち、上扉ロック機構7aが、解除つまみ82を下方に押し下げることにより、可動部80を下方に移動させていたのに対して、下扉ロック機構7bは、鍵穴44から差し込んだ鍵を回すことにより、特に図示していないが、鍵のシリンダーが回転し、鍵シリンダーから突出して可動部80の孔に差し込まれた棒状部材が可動部80を押し下げるものである。その他の点は、上扉ロック機構7aと下扉ロック機構7bとは、略同一の構成となるものである。
【０１１２】
（前パネル50）
上記前パネル50は、下扉40に着脱自在に取り付けてあるものである。
図１７は前パネル50を下扉40に取り付けた状態の縦断面図を示すものである。
上記前パネル50は、遊技の説明等が書かれている場合には、遊技変更に際し変更する必要があり、遊技の説明等が書かれていない場合でも、上扉30のデザインとそろいであることが多いので、上扉30を交換するとき同時に交換する必要がある。
【０１１３】
前パネル50は、上部に複数の凸部51を有し、下部には複数の鉤部52が設けられている。一方、下扉40の操作部41の下方に設けられたパネル開口部45の上枠46には、前記凸部51を嵌入可能な孔46aが、下枠47には前記鉤部52を差込可能な切欠部47aが形成されている。
そして、前パネル50を下扉40のパネル開口部45に嵌め込む時には、まず凸部51を孔46aに嵌め入れ、それから鉤部52を切欠部47aに差し込んで押し込む。そうすると図１７に示すように、鉤部52が下枠47に引っかかり、前パネル50が下扉40に固定されるものである。また、前パネル50を取り外す場合には、下扉40の裏側から鉤部52を上方に引き上げて前パネル50を正面側に押し出せば、簡単に外すことができる。
【０１１４】
（台交換）
以上のように構成された分離型スロットマシンＳについて、遊技内容変更のための台交換は、以下のように行うことができる。
第一に、主制御回路基板25及びリールユニット22を有する遊技制御キャビネット8と、上扉30とを取り替えることができる。すなわち、新たな主制御回路基板25及びリールユニット22を有する新たな遊技制御キャビネット8をメダル制御キャビネット9の上に取り付けたのち、新たな上扉30を取り付けるものである。このとき、遊技制御キャビネット8と上扉30とが一体に形成されていれば、作業効率がなおよい。このような交換によれば、遊技の変更に伴い回転リール23の数が変わったり、表示装置32を変更しても、上扉30の形状を同時に変えることができる。
【０１１５】
第二に、上扉30と、主制御回路基板25及びリールユニット22を有する遊技制御キャビネット8と、前パネル50とを取り替えることができる。すなわち、前記した手順に加え、下扉40から前パネル50を取り外し、新たな前パネル50を取り付けるものである。このような交換によれば、外観上前扉30及び前パネル50が変わることにより、最低限のパーツ交換であたかも全く異なるスロットマシンをホールに配置したような効果が得られる。
【０１１６】
第三に、上扉30と、主制御回路基板25及びリールユニット22を有する遊技制御キャビネット8と、前パネル50を有する下扉40とを取り替えることができる。すなわち、遊技制御キャビネット8及び上扉30だけを、繰り返し交換して使用していると、下扉40の損傷が激しくなるため、所定回数の交換のうち、１回は、下扉40も含めた交換を行うものである。かかる場合、遊技に直接関係のない電源ユニット４やホッパーユニット５をメダル制御キャビネット9内部に残して、あたかもスロットマシンを一新したかのような効果が得られる。
【０１１７】
このほか、外観のみを変化させたいときには上扉30と前パネル50のみを交換してもよいし、場合によっては前パネル50のみを交換することもできる。
なお、本実施の形態は、前扉が上下二分割されているものであったが、前扉３が一枚に形成されているものであってもよい。
（第二の実施の形態）
図１８は、第二の実施の形態であって、遊技制御キャビネット及びメダル制御キャビネットの外観斜視図を示すものである。
【０１１８】
本実施の形態は、第一の実施の形態におけるメダル制御キャビネット9の下部上板12を取り除いて、上面側に開口する上面開口部27を設けたものである。その他の構成は、第一の実施の形態と同一であるため、それらの説明は省略する。
具体的には、遊技制御キャビネット8は、底面を塞ぐための上部底板15と、左右の両側面を塞ぐための左右の上部側板13と、裏面側を塞ぐための上部裏板17と、上面を塞ぐための上部上板11と、正面側に開口する正面開口部26とを備えている。
【０１１９】
そして、メダル制御キャビネット9は、下側を塞ぐための下部底板16と、左右の両側面を塞ぐための左右の下部側板14と、裏面側を塞ぐための下部裏板18と、正面側に開口する正面開口部26と、上面側に開口する上面開口部27とを備えているものである。
本実施の形態は、メダル制御キャビネット9が、上面側を塞ぐ下部上板12のようなものを有してなく、その代わりに、上面側に開口する上面開口部27を設けている。そして、メダル制御キャビネット9の上に遊技制御キャビネット8を固定した際に、遊技制御キャビネット8の上部底板15が、メダル制御キャビネット9の上面開口部27を塞ぐことができる。すなわち、遊技制御キャビネット8の上部底板15が、メダル制御キャビネット9の上板を兼ねることができるものである。これにより、メダル制御キャビネット9の上面側に上板を有するようなものと比較して、部品数を一つ減らすことができて、部品の共通化を図ることができる。
【０１２０】
（第三の実施の形態）
図１９（ａ）及び（ｂ）は、第三の実施の形態であって、図１９（ａ）はワンウェイねじの外観斜視図、図１９（ｂ）は破断ねじの外観斜視図をそれぞれ示すものである。
本実施の形態では、封印手段160は、固定手段10を、ねじ込み可能だが、取り外しが不可能な封印ねじ163で固定することを特徴とするものである。具体的には、この封印手段160は、フック部120を固定装置130の先端側ピン131に引っかけて、摺動レバー132を閉じた状態の固定装置130の摺動側ねじ孔194及び固定側ねじ孔195に、この封印ねじ163をねじ込むことを特徴とするものである。さらに、具体的には、第一の実施の形態で説明した図１１の固定ねじ182の代わりに、ねじ込み可能だが、取り外しが不可能な封印ねじ163をねじ込むものである。その他の構成は、第一の実施の形態と同様であって説明を省略する。
【０１２１】
前記封印ねじ163としてのワンウェイねじ201は、図１９（ａ）に示すように、ねじ頭部がねじ込む方向（右回転方向）だけ、ドライバーで回転させることができるように形成されてあり、取り外す方向（左回転方向）には、ドライバーが引っかからず、その表面を滑るだけで、回転させることができないものである。このワンウェイねじ201からなる封印ねじ163で、固定装置130の摺動側ねじ孔194及び固定側ねじ孔195を固定すると、固定装置130を破損させない限り、固定装置130の固定状態を解除することができないものである。これにより、遊技制御キャビネット8が、メダル制御キャビネット9から取り外されて不正行為が行われることを防止することができる。
【０１２２】
前記封印ねじ163としての破断ねじ202は、図１９（ｂ）に示すように、ねじ頭部の近傍に直径が小さくなった狭径部203を設けているものである。この破断ねじ202は、所定の力以上の応力が加わると狭径部203にせん断応力が集中して、破断し、ねじ頭部と、ねじ本体部とが分離するように形成されているものである。この破断ねじ202を使用して、ねじ込んだ後、さらに力を加えて、狭径部203から破断させて、ねじの頭部を除去しておくことにより、ドライバー等により、回転させて取り外すことができないものである。この破断ねじ202も、ワンウェイねじ201と同様に、固定装置130の摺動側ねじ孔194及び固定側ねじ孔195を固定すると、固定装置130を破損させない限り、固定装置130の固定状態を解除することができないものであり、遊技制御キャビネット8がメダル制御キャビネット9から取り外されて不正行為が行われることを防止することができるものである。
【０１２３】
（第四の実施の形態）
図２０は第四の実施の形態であって、遊技制御キャビネットとメダル制御キャビネットとに封印具を直接、通して封印した状態の外観斜視図を示すものである。
本実施の形態は、遊技制御キャビネット8を、固定手段10により、メダル制御キャビネット9に固定した際に、遊技制御キャビネット8及びメダル制御キャビネット9の間を封印し、遊技制御キャビネット8をメダル制御キャビネット9から取り外す際には封印を解かれる封印手段160を備えているものである。
【０１２４】
本実施の形態に係る封印手段160は、遊技制御キャビネット8の遊技制御キャビネット側貫通部171と、メダル制御キャビネット9のメダル制御キャビネット側貫通部170と、それらの両方に通して、環状に閉じることができる封印具161とを備えているものである。そして、封印具161は、第一の実施の形態と同一のものであって、一旦、環状に閉じると、その途中を切断しない限り、開くことができないことを特徴とするものである。
【０１２５】
また、本実施の形態では、図２０に示すように、遊技制御キャビネット8の上部底板15の前面側の端部が下方に向かってＬ字状に折れ曲がった構造となっている。そして、メダル制御キャビネット9の下部上板12も、同様に、その前面側の端部が下方に向かってＬ字状に折れ曲がった構造となっている。そして、遊技制御キャビネット8の上部底板15のＬ字状の前面側端部には、表裏に貫通する遊技制御キャビネット側貫通部171が形成され、同様に、メダル制御キャビネット9の下部上板12のＬ字状の前面側端部には、表裏に貫通するメダル制御キャビネット側貫通部170が形成されている。そして、メダル制御キャビネット9の下部上板12のＬ字状の前面側端部を、遊技制御キャビネット8の上部底板15のＬ字状の前面側端部が覆うように配置されている。そして、かかる覆うように重なった状態で、遊技制御キャビネット側貫通部171とメダル制御キャビネット側貫通部170とは、整合するように形成され、両者で表裏に貫通する孔を形成している。
【０１２６】
前記メダル制御キャビネット側貫通部170は、下部上板12の手前側のＬ字状の折れ曲がった部分を表裏に貫通する下部上板孔207からなるものである。また、遊技制御キャビネット側貫通部171は、上部底板15の手前側のＬ字状の折れ曲がった部分を表裏に貫通する上部底板孔206からなるものである。そして、下部上板孔207及び上部底板孔206は、遊技制御キャビネット8をメダル制御キャビネット9の上に載置して、第一の実施の形態で説明した固定手段10により固定した状態で、両者の形状が整合するような位置に設定されているものである。そして、遊技制御キャビネット8をメダル制御キャビネット9に載置して、固定手段10により固定した後、下部上板孔207及び上部底板孔206の両方に、封印具161を通して、封印係合部172を封印被係合部173に挿入することにより、かかる封印具161を環状に閉じるものである。封印具161は、一旦、環状に閉じると、その途中を切断しない限り、開くことができないため、遊技制御キャビネット8をメダル制御キャビネット9から取り外すには、封印具161を切断しなければならず、不正交換を防止することができるものである。そして、封印具161が環状に閉じた状態を維持している場合には、メダル制御キャビネット9から遊技制御キャビネット8が取り外されていないこととなり、不正行為が行われていないことを担保することができる。
【０１２７】
（第五の実施の形態）
図２１は第五の実施の形態であって、封印ねじのねじ頭部孔に封印具を通して封印した状態の外観斜視図を示すものである。
本実施の形態は、第一の実施の形態と同様に、分離型スロットマシンＳであって、遊技制御キャビネット8と、メダル制御キャビネット9とを備えるものである。そして、上部底板15及び下部上板12は、第四の実施の形態で説明したように、その正面側の端部は、図２１に示すように、Ｌ字状に形成されているものである。  第一の実施の形態では、固定手段10は、遊技制御キャビネット8の上部側板13に設けてフック部120と係合させるものであったが、本実施の形態に係る分離型スロットマシンＳでは、固定手段10として、遊技制御キャビネット8の上部底板15と、メダル制御キャビネット9の下部上板12との両方に跨ってねじ込み可能な封印ねじ163を備えているものである。
【０１２８】
そして、封印手段160は、遊技制御キャビネット8をメダル制御キャビネット9に固定した状態の固定手段10である封印ねじ163に通して環状に閉じることができる封印具161を備えているものである。そして、封印具161は、第一の実施の形態で説明したものと同一であって、一旦、環状に閉じると、その途中を切断しない限り、開くことができないものである。そして、固定手段10である封印ねじ163の固定状態を解除して遊技制御キャビネット8をメダル制御キャビネット9から取り外すには、封印具161の切断を要するものである。
【０１２９】
具体的には、この封印ねじ163は、その操作側の頭部の周縁に、表裏に貫通するねじ頭部孔204が形成されている。そして、遊技制御キャビネット8の上部底板15には、表裏に貫通する上部底板孔206が形成されている。そして、封印具161は、かかるねじ頭部孔204と、上部底板孔206とに通されて、環状に閉じてあるものである。その際、封印具161の環状の円周の長さの２分の１が、封印ねじ163の操作側のねじ頭部の直径よりも小さくなるように設定されているものである。これにより、封印ねじ163は、封印具161を切断せずに、回転させることができず、封印ねじ163をゆるめることができない。したがって、封印具161を切断することなく、封印ねじ163の固定状態を解除することができないものであり、封印状態を維持することができるものである。
【０１３０】
（第六の実施の形態）
図２２は第六の実施の形態であって、封印ねじのねじ頭部孔と、ねじ先端孔とに封印具を通して封印した状態の外観斜視図を示すものである。
本実施の形態は、第一の実施の形態と同様に、分離型スロットマシンＳであって、遊技制御キャビネット8と、メダル制御キャビネット9とを備えるものである。
【０１３１】
本実施の形態に係る分離型スロットマシンＳは、第五の実施の形態と同様に、固定手段10として、遊技制御キャビネット8の上部底板15と、メダル制御キャビネット9の下部上板12との両方に跨ってねじ込み可能な封印ねじ163を備えているものである。
そして、封印手段160は、遊技制御キャビネット8をメダル制御キャビネット9に設置した状態の固定手段10である封印ねじ163に通して環状に閉じることができる封印具161を備えているものである。そして、封印具161は、第一の実施の形態で説明したものと同一であって、一旦、環状に閉じると、その途中を切断しない限り、開くことができないものである。そして、固定手段10である封印ねじ163の固定状態を解除して遊技制御キャビネット8をメダル制御キャビネット9から取り外すには、封印具161の切断を要するものである。
【０１３２】
具体的には、この封印ねじ163は、その操作側の頭部の周縁に、表裏に貫通するねじ頭部孔204が形成されている。さらに、この封印ねじ163は、そのねじ込み側の先端側に、表裏に貫通するねじ先端孔205が形成されている。そして、封印具161は、かかるねじ頭部孔204と、ねじ先端孔205とに通されて、環状に閉じてあるものである。この状態で、封印ねじ163を回転させようとしても、ねじ先端孔205とねじ頭部孔204とに通された封印具161が邪魔になって回転させることができない。これにより、封印ねじ163は、封印具161を切断することなく、回転することができず、封印ねじ163をゆるめることができない。したがって、封印具161を切断することなく、封印ねじ163の固定状態を解除することができないものであり、封印状態を維持することができるものである。
【０１３３】
（第七の実施の形態）
図２３は第七の実施の形態であって、封印ねじのねじ頭部孔と、下部上板の下部上板孔とに封印具を通して封印した状態の外観斜視図を示すものである。
本実施の形態は、第一の実施の形態と同様に、分離型スロットマシンＳであって、遊技制御キャビネット8とメダル制御キャビネット9とを備えるものである。
【０１３４】
本実施の形態に係る分離型スロットマシンＳは、第六の実施の形態と同様に、固定手段10として、遊技制御キャビネット8の上部底板15と、メダル制御キャビネット9の下部上板12との両方に跨ってねじ込み可能な封印ねじ163を備えているものである。
そして、封印手段160は、遊技制御キャビネット8をメダル制御キャビネット9に設置した状態の固定手段10である封印ねじ163に通して環状に閉じることができる封印具161を備えているものである。そして、封印具161は、第一の実施の形態で説明したものと同一であって、一旦、環状に閉じると、その途中を切断しない限り、その環状を開くことができないものである。そして、固定手段10である封印ねじ163の固定状態を解除して遊技制御キャビネット8をメダル制御キャビネット9から取り外すには、封印具161の切断を要するものである。
【０１３５】
具体的には、この封印ねじ163は、その操作側の頭部の周縁に、表裏に貫通するねじ頭部孔204が形成されている。そして、下部上板12の手前側のＬ字状に折れ曲がった部分には、その表裏に貫通する下部上板孔207が形成されている。そして、封印具161は、かかるねじ頭部孔204と、下部上板孔207とに通されて、環状に閉じてあるものである。この状態で、封印ねじ163を回転させようとしても、ねじ頭部孔204と下部上板孔207とに通された封印具161が邪魔になって封印ねじ163を回転させることができない。これにより、封印ねじ163は、封印具161を切断することなく、回転することができず、封印ねじ163をゆるめることができない。したがって、封印具161を切断することなく、封印ねじ163の固定状態を解除することができないものであり、封印状態を維持することができるものである。
【０１３６】
（第八の実施の形態）
図２４は第八の実施の形態であって、遊技制御キャビネットの上部底板と、メダル制御キャビネットの下部上板とに、かしめ部材を通してかしめ部により封印した状態の縦断面図を示すものである。
本実施の形態は、第一の実施の形態と同様に、分離型スロットマシンＳであって、遊技制御キャビネット8及びメダル制御キャビネット9を備えるものである。
【０１３７】
本実施の形態に係る分離型スロットマシンＳは、固定手段10として、遊技制御キャビネット8の上部底板15と、メダル制御キャビネット9の下部上板12との両方に跨って、貫通可能なかしめ部材164を備えているものである。このかしめ部材164は、樹脂からなるものであって、適当な圧力及び熱を加えることにより、変形可能なものである。そして、このかしめ部材164は、その頭部側に、三角板状の三角頭部167が形成されている。そして、この三角頭部167から同一直径の円柱状の本体部分が伸びているものである。一方、下部上板12には、かしめ部材164の三角頭部167以外の本体部分が挿入可能な直径の下部上板孔207が形成されている。そして、上部底板15には、かしめ部材164の三角頭部167以外の本体部分が挿入可能な直径の上部底板孔206が形成されている。そして、遊技制御キャビネット8をメダル制御キャビネット9の上に設置した後、かしめ部材164を下部上板孔207及び上部底板孔206に挿入し、その本体部分の先端を、所定の圧力及び温度を加えることができる専用装置を用いて、かしめ、かしめ部166を形成する。これにより、遊技制御キャビネット8をメダル制御キャビネット9から取り外すには、かしめ部166及び三角頭部167が邪魔になるため、かしめ部材164を切断することなく、遊技制御キャビネット8をメダル制御キャビネット9から取り出すことができないものである。
【０１３８】
なお、通常の部品の交換の際、かしめ部材164を切断する場合には、三角頭部167を指先でねじることにより、三角頭部167の根元から切断され、容易にかしめ部材164を取り外すことができるものである。
（第九の実施の形態）
図２５は、第九の実施の形態であって、かしめ部材と、紐状部材とにより、封印した状態の外観斜視図を示すものである。
【０１３９】
本実施の形態は、第一の実施の形態と同様に、分離型スロットマシンＳであって、遊技制御キャビネット8及びメダル制御キャビネット9を備えるものである。
本実施の形態に係る封印手段160は、遊技制御キャビネット8及びメダル制御キャビネット9の少なくとも一方を通した紐状部材180と、紐状部材180を通すとともに、遊技制御キャビネット8及びメダル制御キャビネット9の少なくとも他方を通して、少なくとも一端をかしめることにより、遊技制御キャビネット8及びメダル制御キャビネット9を封印可能なかしめ部材164とを備えたことを特徴とするものである。
【０１４０】
具体的には、紐状部材180は、所定の幅を有するテープ状であって、遊技制御キャビネット8の上部底板15に設けた上部底板孔206に通されているものである。そして、この紐状部材180の両端付近には、表裏に貫通する紐孔169が形成されている。そして、かしめ部材164は、樹脂からなり、円柱状の本体部分と、その頭部側に本体部分よりも大きな径からなる三角板状の三角頭部167とを備えている。一方、メダル制御キャビネット9の下部上板12には、かしめ部材164の三角頭部167以外の本体部分が挿入可能な直径の下部上板孔207が形成されている。そして、遊技制御キャビネット8をメダル制御キャビネット9の上に設置した後、かしめ部材164を下部上板孔207と、紐状部材180の両端の紐孔169とに挿入し、その本体部分の先端を、所定の圧力及び温度を加えることができる専用装置を用いて、かしめ、かしめ部166を形成する。これにより、遊技制御キャビネット8をメダル制御キャビネット9から取り外すには、かしめ部166及び三角頭部167が邪魔になるため、かしめ部材164を切断することなく、遊技制御キャビネット8をメダル制御キャビネット9から取り出すことができないものである。
【０１４１】
本実施の形態は、樹脂製のかしめ部材164だけで連結するのではなく、紐状部材180を介して、下部上板12及び上部底板15を連結している。このため、同一中心軸の孔を形成するようなものと比較して、下部上板孔207及び上部底板孔206の許容位置精度を低下させることができる。これにより、両者の位置に余裕を持たせ、製造コストを低下させることができるものである。
【０１４２】
なお、通常の部品の交換の際、かしめ部材164を切断する場合には、三角頭部167を指先でねじることにより、三角頭部167の根元から切断され、容易にかしめ部材164を取り外すことができるものである。
（第一〇の実施の形態）
図２６は、第一〇の実施の形態であって、鍵部材により、封印可能な封印手段の外観斜視図を示すものである。
【０１４３】
本実施の形態は、第一の実施の形態と同様に、分離型スロットマシンＳであって、遊技制御キャビネット8及びメダル制御キャビネット9を備えるものである。
本実施の形態に係る封印手段160は、遊技制御キャビネット8の上部底板15と、メダル制御キャビネット9の下部上板12とを通した樹脂製からなる鍵部材168により、遊技制御キャビネット8及びメダル制御キャビネット9を封印可能なものである。
【０１４４】
具体的には、鍵部材168は、その操作頭部に長方形状のつまみ部211を有している。そして、鍵部材168は、その円柱状の本体部分の途中に、側方に向かって拡がる扇状の突出部210を備えているものである。そして、鍵部材168は、その先端部分に円板状の円板部212を予め形成しているものである。一方、遊技制御キャビネット8の上部底板15には、回転つまみ208を通すことができるつまみ孔部211と、突出部210を通すことができるかぎ孔部209とが形成されている。同様に、メダル制御キャビネット9の下部上板12にも、回転つまみ208を通すことができるつまみ孔部211と、突出部210を通すことができるかぎ孔部209とが形成されている。そして、鍵部材168を下方から差し込んで、回転つまみ208をつまみ孔部211から通し、突出部210をかぎ孔部209から通す。そして、回転つまみ208を指で摘んで、突出部210がかぎ孔部209を通過するように下方に向かって押し込み、突出部210が下部上板12と上部底板15との間になるように位置させる。そして、その状態で、回転つまみ208を回転させて、突出部210をかぎ孔部209と異なる位置に回す。そして、突出部210をピンや釘やホッチキス等の固定手段により、下部上板12若しくは上部底板15に固定させる。この状態では、鍵部材168は、回転することができないため、回転つまみ208はつまみ孔部211を通過することができない。これにより、封印状態を維持することができるものである。
【０１４５】
（第一一の実施の形態）
本実施の形態は、封印手段160として、遊技制御キャビネット8とメダル制御キャビネット9との間に、貼付後、剥離すると、その痕跡が残るようにした封印シール162を備えたことを特徴とするものである。
具体的には、図２５の一点鎖線で示した位置に封印シール162を貼付するようなものである。この封印シール162は、貼付後、剥離すると、その封印シール162の表面模様の印刷の一部が、貼付した面に残るように形成されているものである。
【０１４６】
上述したような封印シール162を備えているため、かかる封印シール162を一旦、貼付した後、遊技制御キャビネット8をメダル制御キャビネット9から取り外す場合、必ず、封印シール162の一部が剥離することとなり、剥離の痕跡が残る。これにより、不正交換を防止することができる。すなわち、封印シール162が、何の痕跡も残さずに、貼付された状態を維持している場合には、メダル制御キャビネット9から遊技制御キャビネット8が取り外されていないこととなり、不正行為が行われていないことを担保することができる。
【０１４７】
なお、封印シール162は、上述したものに限定されるものではなく、平面状態を維持した状態で貼付した後、折れ曲がると封印シール162の色が変わるように形成されているものでも良いものである（商品名：ＣＣＰ、日本製紙株式会社製）。すなわち、封印シール162を剥がそうとして折れ曲がると、一部が変色して、剥離の痕跡が残るものである。これにより、不正交換を防止することができる。
【０１４８】
上述した実施の形態で使用した環状を形成可能な封印具161の変わりに、鉛等の軟質金属と針金とにより、環状を形成可能な封印具161でも良いものである。これは、特殊な型を有する専用工具により、環状を形成した針金を内包した状態で、鉛等の軟質金属に圧力を掛けて、特定の型を鉛等の軟質金属の表面に成形させるものである。針金による環状状態を取り外すそうとすると、軟質金属の表面に形成した特定の型の形状が崩れて、取り外した痕跡が残るものである。
【０１４９】
【発明の効果】
本発明は、以上のように構成されているので、以下に記載されるような効果を奏する。
（請求項１）
請求項１記載の発明によれば、次のような効果を奏する。
【０１５０】
すなわち、請求項１記載の発明によれば、交換部品数を少なくすることができ、交換に要する費用を、抑えることができ、限られた資源を有効に活用することができるようにした分離型スロットマシンを提供することができる。
更に、請求項１記載の発明によれば、遊技制御キャビネットをメダル制御キャビネットに固定手段を介して封印することができて、遊技制御キャビネットの内部の主制御回路基板等に不正行為が行われることを防止することができるようにした分離型スロットマシンを提供することができる。
（請求項２）
請求項２記載の発明によれば、上記した請求項１記載の発明の効果に加え、次のような効果を奏する。
【０１５１】
すなわち、請求項２記載の発明によれば、分離型スロットマシンの上側の上扉等が一体となった遊技制御キャビネットを取り替えることにより、交換コストを抑えることができるとともに、遊技内容の変更を簡単な作業によって行うことができ、また、運搬時の安全性を担保することができるようにした分離型スロットマシンを提供することができる。
【０１５２】
（請求項３）
請求項３記載の発明によれば、上記した請求項１又は請求項２記載の発明の効果に加え、次のような効果を奏する。
すなわち、請求項３記載の発明によれば、遊技制御キャビネット及びメダル制御キャビネットのいずれも正面側の正面開口部を除いて、密閉性の高いものにすることができ、運搬時の安全性を良好なものにすることができるようにした分離型スロットマシンを提供することができる。
【０１５３】
（請求項４）
請求項４記載の発明によれば、上記した請求項１又は請求項２に記載の発明の効果に加え、次のような効果を奏する。
すなわち、請求項４記載の発明によれば、遊技制御キャビネットの底板が、メダル制御キャビネットの上板を兼ねることができて、部品数を一つ減らすことができ、部品の共通化を図ることができるようにした分離型スロットマシンを提供することができる。
【０１５４】
（請求項５）
請求項５記載の発明によれば、上記した請求項２乃至４のいずれか１項に記載の発明の効果に加え、次のような効果を奏する。
すなわち、請求項５記載の発明によれば、頻繁に前扉を開ける必要のあるメダル制御キャビネットと、主制御回路基板等の重要部品の収納された遊技制御キャビネットとを、別個に施錠し、かつ別個に解錠することができるようにした分離型スロットマシンを提供することができる。
【０１５５】
（請求項６）
請求項６記載の発明によれば、上記した請求項２乃至５のいずれか１項に記載の発明の効果に加え、次のような効果を奏する。
すなわち、請求項６記載の発明によれば、上扉と下扉との間の隙間からドライバー等の工具等を挿入されにくくして、主制御回路基板等にいたずら等がされないようにした分離型スロットマシンを提供することができる。
【０１５６】
（請求項７）
請求項７記載の発明によれば、上記した請求項１乃至６のいずれか１項に記載の発明の効果に加え、次のような効果を奏する。
すなわち、請求項７記載の発明によれば、遊技制御キャビネットをメダル制御キャビネットに封印することができて、遊技制御キャビネットの内部の主制御回路基板等に不正行為が行われることを防止することができるようにした分離型スロットマシンを提供することができる。
【０１５７】
（請求項８）
請求項８記載の発明によれば、上記した請求項２乃至７のいずれか１項に記載の発明の効果に加え、次のような効果を奏する。
すなわち、請求項８記載の発明によれば、遊技内容の変更があっても、前パネルを除く下扉を、共通して使用することができ、部品の共通化を図ることができて、コスト低減を図ることができるようにした分離型スロットマシンを提供することができる。
【０１５８】
（請求項９）
請求項９記載の発明によれば、上記した請求項２乃至８のいずれか１項に記載の発明の効果に加え、次のような効果を奏する。
すなわち、請求項９記載の発明によれば、メダル制御キャビネットや、その内部のホッパーユニット等の部品は、そのまま利用して、交換が必要な下扉だけを交換することができ、交換コストを抑えることができるようにした分離型スロットマシンを提供することができる。
【図面の簡単な説明】
【図１】
本発明の第一の実施の形態であって、分離型スロットマシンを示す分解斜視図である。
【図２】
本発明の第一の実施の形態であって、分離型スロットマシンを示す分解斜視図である。
【図３】
本発明の第一の実施の形態であって、遊技制御キャビネット及びメダル制御キャビネットを組み合わせた状態の本体キャビネットを示す外観正面図である。
【図４】
本発明の第一の実施の形態であって、分離型スロットマシンを示す外観側面図である。
【図５】
本発明の第一の実施の形態であって、上扉の下側端部の隠し部を示す概略縦断面図である。
【図６】
本発明の他の実施の形態であって、上扉の下側端部の隠し部を示す概略縦断面図である。
【図７】
本発明の第一の実施の形態であって、向かって右側の固定手段を示す外観正面図である。
【図８】
本発明の第一の実施の形態であって、向かって左側の固定手段を示す外観正面図である。
【図９】
本発明の第一の実施の形態であって、斜め下方から見た固定操作中の向かって右側の固定手段を示す外観斜視図である。
【図１０】
本発明の第一の実施の形態であって、斜め下方から見た向かって右側の固定手段の固定状態を示す外観斜視図である。
【図１１】
本発明の第一の実施の形態であって、斜め下方から見た向かって左側の固定手段の固定状態を示す外観斜視図である。
【図１２】
本発明の第一の実施の形態であって、固定手段を示す分解斜視図である。
【図１３】
本発明の第一の実施の形態であって、固定手段を示す外観側面図である。
【図１４】
本発明の第一の実施の形態であって、封印具を示す外観斜視図である。
【図１５】
本発明の第一の実施の形態であって、封印具を示す一部縦断面図である。
【図１６】
本発明の第一の実施の形態であって、上扉の上扉ロック機構を示す概略説明図である。
【図１７】
本発明の第一の実施の形態であって、前パネルを下扉に取り付けた状態を示す概略縦断面図である。
【図１８】
本発明の第二の実施の形態であって、遊技制御キャビネット及びメダル制御キャビネットを示す外観斜視図である。
【図１９】
本発明の第三の実施の形態であって、（ａ）はワンウェイねじを示す外観斜視図、（ｂ）は破断ねじを示す外観斜視図である。
【図２０】
本発明の第四の実施の形態であって、遊技制御キャビネットとメダル制御キャビネットとに封印具を直接、通して封印した状態を示す外観斜視図である。
【図２１】
本発明の第五の実施の形態であって、封印ねじのねじ頭部孔に封印具を通して封印した状態を示す外観斜視図である。
【図２２】
本発明の第六の実施の形態であって、封印ねじのねじ頭部孔と、ねじ先端孔とに封印具を通して封印した状態を示す外観斜視図である。
【図２３】
本発明の第七の実施の形態であって、封印ねじのねじ頭部孔と、下部上板の下部上板孔とに封印具を通して封印した状態を示す外観斜視図である。
【図２４】
本発明の第八の実施の形態であって、遊技制御キャビネットの上部底板と、メダル制御キャビネットの下部上板とに、かしめ部材を通してかしめ部により封印した状態を示す縦断面図である。
【図２５】
本発明の第九の実施の形態であって、かしめ部材と、紐状部材とにより、封印した状態を示す外観斜視図である。
【図２６】
本発明の第一〇の実施の形態であって、鍵部材により、封印可能な封印手段を示す外観斜視図である。
【符号の説明】
Ｓ  分離型スロットマシン            1  本体キャビネット
2  上部ユニット                    3  前扉
4  電源ユニット                    5  ホッパーユニット
7  ロック機構                      7a  上扉ロック機構
7b  下扉ロック機構                  8  遊技制御キャビネット
9  メダル制御キャビネット          10  固定手段
11  上部上板                        12  下部上板
13  上部側板                        14  下部側板
15  上部底板                        16  下部底板
17  上部裏板                        18  下部裏板
21  支持体                          22  リールユニット
23  回転リール                      24  基板ユニット
25  主制御回路基板                  26  正面開口部
27  上面開口部                      30  上扉
31  表示窓                          32  表示装置
33  飾り部                          34  隠し部
40  下扉                            41  操作部
42  メダル投入口                    43  メダル受け
44  鍵穴                            45  パネル開口部
46  上枠                            46a  孔
47  下枠                            47a  切欠部
48  メダルセレクター                49  スピーカ
50  前パネル                        51  凸部
52  鉤部                            60  上扉用被係合部
61  上扉用係合部                    62  下扉用被係合部
63  下扉用係合部                    70  固定部
71  ストッパー                      72  ばね
73  ピン                            80  可動部
81  係止片                          81a  斜辺
81b  溝部                          82  解除つまみ
90  突出片                          100  店操作部
102  ガイド突起部                  103  開口孔部
120  フック部                      130  固定装置
131  先端側ピン                    132  摺動レバー
133  ピン連結部                    135  ばね
136  回転軸                        138  基端側ピン
139  ピン移動体                    140  内側ピン連結部
141  外側ピン連結部                142  固定装置取り付けねじ
143  フック取り付けねじ            160  封印手段
161  封印具                        162  封印シール
163  封印ねじ                      164  かしめ部材
166  かしめ部                      167  三角頭部
168  鍵部材                        169  紐孔
170  メダル制御キャビネット側貫通部  171  遊技制御キャビネット側貫通部
172  封印係合部                    173  封印被係合部
174  中間部                        175  爪
176  表示部                        177  極太部
180  紐状部材                      182  固定ねじ
191  固定部材                      192  固定側貫通孔
193  摺動側貫通孔                  194  摺動側ねじ孔
195  固定側ねじ孔                  201  ワンウェイねじ
202  破断ねじ                      203  狭径部
204  ねじ頭部孔                    205  ねじ先端孔
206  上部底板孔                    207  下部上板孔
208  回転つまみ                    209  かぎ孔部
210  突出部                        211  つまみ孔部
212  円板部                        220  上部結線用孔
230  下部結線用孔                  240  上部固定用孔
250  下部固定用孔